(57)【要約】  基地局装置と移動局装置が、複数のコンポーネントキャリアによって構成される広帯域な周波数帯域を使用して通信を行う際に、効率的に制御情報を送信することができる移動通信システムおよび移動通信方法を提供する。  基地局装置と移動局装置が、複数のコンポーネントキャリアを使用して通信を行う移動通信システムにおいて、前記基地局装置は、前記移動局装置が、ＨＡＲＱにおける制御情報を送信するためのリソースを前記移動局装置へ割り当て、前記移動局装置は、前記割り当てられたリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータの送信を要求するスケジューリングリクエストを、前記基地局装置へ送信する。
2011122265.tif 000002
【特許請求の範囲】
【請求項１】
集約された複数のコンポーネントキャリアを使用して基地局装置と移動局装置が通信する移動通信システムであって、
前記基地局装置は、
複数の物理上りリンク制御チャネルリソースを設定するための情報を、無線資源制御信号を使用して前記移動局装置へ送信し、
前記複数の物理上りリンク制御チャネルリソースの中から１つの物理上りリンク制御チャネルリソースを決定するための情報を、物理下りリンク制御チャネルを使用して前記移動局装置へ送信し、
前記移動局装置は、
ＨＡＲＱにおける制御情報とスケジューリングリクエストとを、前記物理下りリンク制御チャネルによって指示された前記物理上りリンク制御チャネルリソースを使用して、前記基地局装置へ送信する
ことを特徴とする移動通信システム。
【請求項２】
前記ＨＡＲＱにおける制御情報は、前記基地局装置によって、あるサブフレームで前記コンポーネントキャリアにおいて送信される下りリンクトランスポートブロックに対するＡＣＫ／ＮＡＣＫを示す情報を含む
ことを特徴とする請求項１に記載の移動通信システム。
【請求項３】
移動局装置が、あるサブフレームで基地局装置によって送信される１つまたは複数の下りリンクトランスポートブロックに対するＨＡＲＱにおける制御情報を、前記基地局装置へ送信する移動通信システムであって、
前記基地局装置は、
複数の物理上りリンク制御チャネルリソースを設定するための情報を、無線資源制御信号を使用して前記移動局装置へ送信し、
前記複数の物理上りリンク制御チャネルリソースの中から１つの物理上りリンク制御チャネルリソースを決定するための情報を、物理下りリンク制御チャネルを使用して前記移動局装置へ送信し、
前記移動局装置は、
前記ＨＡＲＱにおける制御情報とスケジューリングリクエストとを、前記物理下りリンク制御チャネルによって指示された前記物理上りリンク制御チャネルリソースを使用して、前記基地局装置へ送信する
ことを特徴とする移動通信システム。
【請求項４】
前記スケジューリングリクエストは、前記ＨＡＲＱにおける制御情報のビットの系列の最後に付け足される
ことを特徴とする請求項１乃至３のいずれかに記載の移動通信システム。
【請求項５】
前記スケジューリングリクエストは、前記基地局装置へスケジューリングを要求する、または、前記基地局装置へスケジューリングを要求しないことを示す１ビットの情報である
ことを特徴とする請求項１乃至４のいずれかに記載の移動通信システム。
【請求項６】
前記無線資源制御信号によって設定される物理上りリンク制御チャネルリソースは、４つである
ことを特徴とする請求項１乃至５のいずれかに記載の移動通信システム。
【請求項７】
集約された複数のコンポーネントキャリアを使用して基地局装置と移動局装置が通信する移動通信システムにおける基地局装置であって、
複数の物理上りリンク制御チャネルリソースを設定するための情報を、無線資源制御信号を使用して前記移動局装置へ送信する手段と、
前記複数の物理上りリンク制御チャネルリソースの中から１つの物理上りリンク制御チャネルリソースを決定するための情報を、物理下りリンク制御チャネルを使用して前記移動局装置へ送信する手段と、
ＨＡＲＱにおける制御情報とスケジューリングリクエストとを、前記物理下りリンク制御チャネルによって指示された前記物理上りリンク制御チャネルリソースを使用して、前記移動局装置から受信する手段と、
を備えることを特徴とする基地局装置。
【請求項８】
前記ＨＡＲＱにおける制御情報は、前記基地局装置によって、あるサブフレームで前記コンポーネントキャリアにおいて送信される下りリンクトランスポートブロックに対するＡＣＫ／ＮＡＣＫを示す情報を含む
ことを特徴とする請求項７に記載の基地局装置。
【請求項９】
移動局装置が、あるサブフレームで基地局装置によって送信される１つまたは複数の下りリンクトランスポートブロックに対するＨＡＲＱにおける制御情報を、前記基地局装置へ送信する移動通信システムにおける基地局装置であって、
複数の物理上りリンク制御チャネルリソースを設定するための情報を、無線資源制御信号を使用して前記移動局装置へ送信する手段と、
前記複数の物理上りリンク制御チャネルリソースの中から１つの物理上りリンク制御チャネルリソースを決定するための情報を、物理下りリンク制御チャネルを使用して前記移動局装置へ送信する手段と、
前記ＨＡＲＱにおける制御情報とスケジューリングリクエストとを、前記物理下りリンク制御チャネルによって指示された前記物理上りリンク制御チャネルリソースを使用して、前記移動局装置から受信する手段と、
を備えることを特徴とする基地局装置。
【請求項１０】
前記スケジューリングリクエストは、前記ＨＡＲＱにおける制御情報のビットの系列の最後に付け足される
ことを特徴とする請求項７乃至９のいずれかに記載の基地局装置。
【請求項１１】
前記スケジューリングリクエストは、前記基地局装置へスケジューリングを要求する、または、前記基地局装置へスケジューリングを要求しないことを示す１ビットの情報である
ことを特徴とする請求項７乃至１０のいずれかに記載の基地局装置。
【請求項１２】
前記無線資源制御信号によって設定される物理上りリンク制御チャネルリソースは、４つである
ことを特徴とする請求項７乃至１１のいずれかに記載の基地局装置。
【請求項１３】
集約された複数のコンポーネントキャリアを使用して基地局装置と移動局装置が通信する移動通信システムにおける移動局装置であって、
複数の物理上りリンク制御チャネルリソースを設定するための情報を、無線資源制御信号を使用して前記基地局装置から受信する手段と、
前記複数の物理上りリンク制御チャネルリソースの中から１つの物理上りリンク制御チャネルリソースを決定するための情報を、物理下りリンク制御チャネルを使用して前記基地局装置から受信する手段と、
ＨＡＲＱにおける制御情報とスケジューリングリクエストとを、前記物理下りリンク制御チャネルによって指示された前記物理上りリンク制御チャネルリソースを使用して、前記基地局装置へ送信する手段と、
を備えることを特徴とする移動局装置。
【請求項１４】
前記ＨＡＲＱにおける制御情報は、前記基地局装置によって、あるサブフレームで送信される下りリンクトランスポートブロックに対するＡＣＫ／ＮＡＣＫを示す情報を含む
ことを特徴とする請求項１３に記載の移動局装置。
【請求項１５】
移動局装置が、あるサブフレームで基地局装置によって送信される１つまたは複数の下りリンクトランスポートブロックに対するＨＡＲＱにおける制御情報を、前記基地局装置へ送信する移動通信システムにおける移動局装置であって、
複数の物理上りリンク制御チャネルリソースを設定するための情報を、無線資源制御信号を使用して前記基地局装置から受信する手段と、
前記複数の物理上りリンク制御チャネルリソースの中から１つの物理上りリンク制御チャネルリソースを決定するための情報を、物理下りリンク制御チャネルを使用して前記基地局装置から受信する手段と、
前記ＨＡＲＱにおける制御情報とスケジューリングリクエストとを、前記物理下りリンク制御チャネルによって指示された前記物理上りリンク制御チャネルリソースを使用して、前記基地局装置へ送信する手段と、
を備えることを特徴とする移動局装置。
【請求項１６】
前記スケジューリングリクエストは、前記ＨＡＲＱにおける制御情報のビットの系列の最後に付け足される
ことを特徴とする請求項１３乃至１５のいずれかに記載の移動局装置。
【請求項１７】
前記スケジューリングリクエストは、前記基地局装置へスケジューリングを要求する、または、前記基地局装置へスケジューリングを要求しないことを示す１ビットの情報である
ことを特徴とする請求項１３乃至１６のいずれかに記載の移動局装置。
【請求項１８】
前記無線資源制御信号によって設定される物理上りリンク制御チャネルリソースは、４つである
ことを特徴とする請求項１３乃至１７のいずれかに記載の移動局装置。
【請求項１９】
集約された複数のコンポーネントキャリアを使用して基地局装置と移動局装置が通信する移動通信システムにおける基地局装置の通信方法であって、
複数の物理上りリンク制御チャネルリソースを設定するための情報を、無線資源制御信号を使用して前記移動局装置へ送信し、
前記複数の物理上りリンク制御チャネルリソースの中から１つの物理上りリンク制御チャネルリソースを決定するための情報を、物理下りリンク制御チャネルを使用して前記移動局装置へ送信し、
ＨＡＲＱにおける制御情報とスケジューリングリクエストとを、前記物理下りリンク制御チャネルによって指示された前記物理上りリンク制御チャネルリソースを使用して、前記移動局装置から受信する
ことを特徴とする通信方法。
【請求項２０】
移動局装置が、あるサブフレームで基地局装置によって送信される１つまたは複数の下りリンクトランスポートブロックに対するＨＡＲＱにおける制御情報を、前記基地局装置へ送信する移動通信システムにおける基地局装置の通信方法であって、
複数の物理上りリンク制御チャネルリソースを設定するための情報を、無線資源制御信号を使用して前記移動局装置へ送信し、
前記複数の物理上りリンク制御チャネルリソースの中から１つの物理上りリンク制御チャネルリソースを決定するための情報を、物理下りリンク制御チャネルを使用して前記移動局装置へ送信し、
前記ＨＡＲＱにおける制御情報とスケジューリングリクエストとを、前記物理下りリンク制御チャネルによって指示された前記物理上りリンク制御チャネルリソースを使用して、前記移動局装置から受信する
ことを特徴とする通信方法。
【請求項２１】
集約された複数のコンポーネントキャリアを使用して基地局装置と移動局装置が通信する移動通信システムにおける移動局装置の通信方法であって、
複数の物理上りリンク制御チャネルリソースを設定するための情報を、無線資源制御信号を使用して前記基地局装置から受信し、
前記複数の物理上りリンク制御チャネルリソースの中から１つの物理上りリンク制御チャネルリソースを決定するための情報を、物理下りリンク制御チャネルを使用して前記基地局装置から受信し、
ＨＡＲＱにおける制御情報とスケジューリングリクエストとを、前記物理下りリンク制御チャネルによって指示された前記物理上りリンク制御チャネルリソースを使用して、前記基地局装置へ送信する
ことを特徴とする通信方法。
【請求項２２】
移動局装置が、あるサブフレームで基地局装置によって送信される１つまたは複数の下りリンクトランスポートブロックに対するＨＡＲＱにおける制御情報を、前記基地局装置へ送信する移動通信システムにおける移動局装置の通信方法であって、
複数の物理上りリンク制御チャネルリソースを設定するための情報を、無線資源制御信号を使用して前記基地局装置から受信し、
前記複数の物理上りリンク制御チャネルリソースの中から１つの物理上りリンク制御チャネルリソースを決定するための情報を、物理下りリンク制御チャネルを使用して前記基地局装置から受信し、
前記ＨＡＲＱにおける制御情報とスケジューリングリクエストとを、前記物理下りリンク制御チャネルによって指示された前記物理上りリンク制御チャネルリソースを使用して、前記基地局装置へ送信する
ことを特徴とする通信方法。
【請求項２３】
集約された複数のコンポーネントキャリアを使用して基地局装置と移動局装置が通信する移動通信システムにおける基地局装置に搭載される集積回路であって、
複数の物理上りリンク制御チャネルリソースを設定するための情報を、無線資源制御信号を使用して前記移動局装置へ送信する処理と、
前記複数の物理上りリンク制御チャネルリソースの中から１つの物理上りリンク制御チャネルリソースを決定するための情報を、物理下りリンク制御チャネルを使用して前記移動局装置へ送信する処理と、
ＨＡＲＱにおける制御情報とスケジューリングリクエストとを、前記物理下りリンク制御チャネルによって指示された前記物理上りリンク制御チャネルリソースを使用して、前記移動局装置から受信する処理と、
を実行することを特徴とする集積回路。
【請求項２４】
移動局装置が、あるサブフレームで基地局装置によって送信される１つまたは複数の下りリンクトランスポートブロックに対するＨＡＲＱにおける制御情報を、前記基地局装置へ送信する移動通信システムにおける基地局装置に搭載される集積回路であって、
複数の物理上りリンク制御チャネルリソースを設定するための情報を、無線資源制御信号を使用して前記移動局装置へ送信する処理と、
前記複数の物理上りリンク制御チャネルリソースの中から１つの物理上りリンク制御チャネルリソースを決定するための情報を、物理下りリンク制御チャネルを使用して前記移動局装置へ送信する処理と、
前記ＨＡＲＱにおける制御情報とスケジューリングリクエストとを、前記物理下りリンク制御チャネルによって指示された前記物理上りリンク制御チャネルリソースを使用して、前記移動局装置から受信する処理と、
を実行することを特徴とする集積回路。
【請求項２５】
集約された複数のコンポーネントキャリアを使用して基地局装置と移動局装置が通信する移動通信システムにおける移動局装置に搭載される集積回路であって、
複数の物理上りリンク制御チャネルリソースを設定するための情報を、無線資源制御信号を使用して前記基地局装置から受信する処理と、
前記複数の物理上りリンク制御チャネルリソースの中から１つの物理上りリンク制御チャネルリソースを決定するための情報を、物理下りリンク制御チャネルを使用して前記基地局装置から受信する処理と、
ＨＡＲＱにおける制御情報とスケジューリングリクエストとを、前記物理下りリンク制御チャネルによって指示された前記物理上りリンク制御チャネルリソースを使用して、前記基地局装置へ送信する処理と、
を実行することを特徴とする集積回路。
【請求項２６】
移動局装置が、あるサブフレームで基地局装置によって送信される１つまたは複数の下りリンクトランスポートブロックに対するＨＡＲＱにおける制御情報を、前記基地局装置へ送信する移動通信システムにおける移動局装置に搭載される集積回路であって、
複数の物理上りリンク制御チャネルリソースを設定するための情報を、無線資源制御信号を使用して前記基地局装置から受信する処理と、
前記複数の物理上りリンク制御チャネルリソースの中から１つの物理上りリンク制御チャネルリソースを決定するための情報を、物理下りリンク制御チャネルを使用して前記基地局装置から受信する処理と、
前記ＨＡＲＱにおける制御情報とスケジューリングリクエストとを、前記物理下りリンク制御チャネルによって指示された前記物理上りリンク制御チャネルリソースを使用して、前記基地局装置へ送信する処理と、
を実行することを特徴とする集積回路。
【発明の詳細な説明】
【技術分野】
【０００１】
本発明は、基地局装置および移動局装置から構成される移動通信システムおよび移動通信方法に関する。
【背景技術】
【０００２】
次世代セルラー移動通信の一方式として、国際的な標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）とＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）を発展させたネットワークの仕様に関して検討が行われている。【０００３】
３ＧＰＰでは、以前からセルラー移動通信方式について検討されており、第３世代セルラー移動通信方式として、Ｗ−ＣＤＭＡ方式が標準化された。また、通信速度を更に向上したＨＳＤＰＡ（Ｈｉｇｈ−Ｓｐｅｅｄ  Ｄｏｗｎｌｉｎｋ  Ｐａｃｋｅｔ  Ａｃｃｅｓｓ）も標準化され、サービスが運用されている。現在、３ＧＰＰでは、第３世代無線アクセス技術の進化（Ｌｏｎｇ Ｔｅｒｍ Ｅｖｏｌｕｔｉｏｎ：  以下、「ＬＴＥ」と呼ぶ）や、さらなる通信速度の高速化へ向けたＬＴＥ Ａｄｖａｎｃｅｄ(以下、「ＬＴＥ−Ａ」と呼ぶ)についても検討が行われている。【０００４】
ＬＴＥにおける通信方式としては、互いに直交するサブキャリアを用いてユーザ多重化を行なうＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式、および、ＳＣ−ＦＤＭＡ（Ｓｉｎｇｌｅ  Ｃａｒｒｉｅｒ―Ｆｒｅｑｕｅｎｃｙ  Ｄｉｖｉｓｉｏｎ  Ｍｕｌｔｉｐｌｅ  Ａｃｃｅｓｓ）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。【０００５】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Ｃｌｕｓｔｅｒｅｄ−Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ、ＤＦＴ−ｓ−ＯＦＤＭ  ｗｉｔｈ  Ｓｐｅｃｔｒｕｍ  Ｄｉｖｉｓｉｏｎ  Ｃｏｎｔｒｏｌ、ＤＦＴ−ｐｒｅｃｏｄｅｄ  ＯＦＤＭとも呼称される。）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ−ＳＣ−ＦＤＭＡ方式は、データ（情報）を送信する際のＰＡＰＲ（Ｐｅａｋ  ｔｏ  Ａｖｅｒａｇｅ  Ｐｏｗｅｒ  Ｒａｔｉｏ：ピーク電力対平均電力比）を低く抑えることができるという特徴を持っている。【０００６】
また、ＬＴＥ−Ａでは、一般的な移動通信システムで使用する周波数帯域は連続であるのに対し、連続／不連続な複数の周波数帯域（以下、「キャリア要素、キャリアコンポーネント（ＣＣ：Ｃａｒｒｉｅｒ  Ｃｏｍｐｏｎｅｎｔ）」、もしくは、「要素キャリア、コンポーネントキャリア（ＣＣ：Ｃｏｍｐｏｎｅｎｔ  Ｃａｒｒｉｅｒ）」と呼称する。）を複合的に使用して、１つの周波数帯域（広帯域な周波数帯域）として運用する（周波数帯域集約：Ｓｐｅｃｔｒｕｍ  ａｇｇｒｅｇａｔｉｏｎ、Ｃａｒｒｉｅｒ  ａｇｇｒｅｇａｔｉｏｎ、Ｆｒｅｑｕｅｎｃｙ  ａｇｇｒｅｇａｔｉｏｎなどとも呼称される。）ことが検討されている。さらに、基地局装置および移動局装置が、広帯域な周波数帯域をより柔軟に使用して通信を行なうために、下りリンクの通信に使用する周波数帯域と上りリンクの通信に使用する周波数帯域を異なる周波数帯域幅とする（非対称周波数帯域集約：Ａｓｙｍｍｅｔｒｉｃ  ｃａｒｒｉｅｒ  ａｇｇｒｅｇａｔｉｏｎ）ことも提案されている（非特許文献１）。【０００７】
図８は、従来の技術における周波数帯域集約を説明する図である。ここで、図８に示されるような下りリンク（ＤＬ：Ｄｏｗｎ  Ｌｉｎｋ）の通信に使用する周波数帯域と上りリンク（ＵＬ：Ｕｐ  Ｌｉｎｋ）の通信に使用する周波数帯域を同じ帯域幅とすることは、対称周波数帯域集約（Ｓｙｍｍｅｔｒｉｃ  ｃａｒｒｉｅｒ  ａｇｇｒｅｇａｔｉｏｎ）とも呼称される。図８に示すように、基地局装置と移動局装置は、連続／不連続な周波数帯域である複数のコンポーネントキャリアを複合的に使用することによって、複数のコンポーネントキャリアから構成される広帯域な周波数帯域で通信を行うことができる。ここでは、例として、１００ＭＨｚの帯域幅を持った下りリンクの通信に使用する周波数帯域（以下、ＤＬシステム帯域、ＤＬシステム帯域幅とも呼称する）が、２０ＭＨｚの帯域幅を持った５つのコンポーネントキャリア（ＤＣＣ１：Ｄｏｗｎｌｉｎｋ  Ｃｏｍｐｏｎｅｎｔ  Ｃａｒｒｉｅｒ１、ＤＣＣ２、ＤＣＣ３、ＤＣＣ４、ＤＣＣ５）によって構成されていることを示している。また、例として、１００ＭＨｚの帯域幅を持った上りリンクの通信に使用する周波数帯域（以下、ＵＬシステム帯域、ＵＬシステム帯域幅とも呼称する）が、２０ＭＨｚの帯域幅を持った５つのコンポーネントキャリア（ＵＣＣ１：Ｕｐｌｉｎｋ  Ｃｏｍｐｏｎｅｎｔ  Ｃａｒｒｉｅｒ１、ＵＣＣ２、ＵＣＣ３、ＵＣＣ４、ＵＣＣ５）によって構成されていることを示している。【０００８】
図８において、下りリンクコンポーネントキャリアそれぞれには、物理下りリンク制御チャネル（以下、ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（以下、ＰＤＳＣＨ：Ｐｈｙｓｉｃａｌ  Ｄｏｗｎｌｉｎｋ  Ｓｈａｒｅｄ  Ｃｈａｎｎｅｌ）等の下りリンクのチャネルが配置され、基地局装置は、下りリンクコンポーネントキャリアそれぞれに配置されたＰＤＳＣＨを使用して送信される下りリンクトランスポートブロックを送信するための制御情報（リソース割り当て情報、ＭＣＳ（Ｍｏｄｕｌａｔｉｏｎ  ａｎｄ  Ｃｏｄｉｎｇ  Ｓｃｈｅｍｅ、変調符号化方式）情報、ＨＡＲＱ（Ｈｙｂｒｉｄ  Ａｕｔｏｍａｔｉｃ  Ｒｅｐｅａｔ  ｒｅＱｕｅｓｔ、ハイブリッド自動再送要求）処理情報など）を、ＰＤＣＣＨを使用して移動局装置に送信し（ＰＤＣＣＨを使用して移動局装置にＰＤＳＣＨを割り当て）、ＰＤＳＣＨを使用して下りリンクトランスポートブロックを移動局装置へ送信する。【０００９】
また、上りリンクコンポーネントキャリアそれぞれには、物理上りリンク制御チャネル（以下、ＰＵＣＣＨ：Ｐｈｙｓｉｃａｌ  Ｕｐｌｉｎｋ  Ｃｏｎｔｒｏｌ  Ｃｈａｎｎｅｌ）、物理上りリンク共用チャネル（以下、ＰＵＳＣＨ：Ｐｈｙｓｉｃａｌ  Ｕｐｌｉｎｋ  Ｓｈａｒｅｄ  Ｃｈａｎｎｅｌ）等の上りリンクのチャネルが配置され、移動局装置は、上りリンクのコンポーネントキャリアそれぞれに配置されたＰＵＣＣＨおよび／またはＰＵＳＣＨを使用して、ＰＤＣＣＨおよび／または下りリンクトランスポートブロックに対するＨＡＲＱにおける制御情報を基地局装置へ送信する。ここで、ＨＡＲＱにおける制御情報とは、ＰＤＣＣＨおよび／または下りリンクトランスポートブロックに対するＡＣＫ／ＮＡＣＫ（肯定応答：Ｐｏｓｉｔｉｖｅ  Ａｃｋｎｏｗｌｅｄｇｅｍｅｎｔ／否定応答：Ｎｅｇａｔｉｖｅ  Ａｃｋｋｎｏｗｌｅｄｇｅｍｅｎｔ、ＡＣＫ信号またはＮＡＣＫ信号）を示す信号（情報）および／またはＤＴＸ（Ｄｉｓｃｏｎｔｉｎｕｏｕｓ  Ｔｒａｎｓｍｉｓｓｉｏｎ）を示す信号（情報）のことである。ＤＴＸとは、移動局装置が基地局装置からのＰＤＣＣＨを検出できなかったことを示す信号（情報）である（ＰＤＣＣＨを検出できたかどうかを示す信号（情報）でも良い）。ここで、図８において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのコンポーネントキャリアが存在してもよい。【００１０】
同様に、図９は、従来の技術における非対称周波数帯域集約を説明する図である。図９に示すように、基地局装置と移動局装置は、下りリンクの通信に使用する周波数帯域と上りリンクの通信に使用する周波数帯域を異なる帯域幅とし、これらの周波数帯域を構成するコンポーネントキャリアを複合的に使用して広帯域な周波数帯域で通信を行うことができる。ここでは、例として、１００ＭＨｚの帯域幅を持った下りリンクの通信に使用する周波数帯域が、２０ＭＨｚの帯域幅を持った５つの下りリンクコンポーネントキャリア（ＤＣＣ１、ＤＣＣ２、ＤＣＣ３、ＤＣＣ４、ＤＣＣ５）によって構成され、また、４０ＭＨｚの帯域幅を持った上りリンクの通信に使用する周波数帯域が、２０ＭＨｚの帯域幅を持った２つのコンポーネントキャリア（ＵＣＣ１、ＵＣＣ２）によって構成されていることを示している。図９において、下りリンク／上りリンクのコンポーネントキャリアのそれぞれには下りリンク／上りリンクのチャネルが配置され、基地局装置は、ＰＤＣＣＨで割り当てたＰＤＳＣＨを使用して下りリンクトランスポートブロックを移動局装置へ送信し、移動局装置は、ＰＵＣＣＨおよび／またはＰＵＳＣＨを使用して、ＨＡＲＱにおける制御情報を基地局装置へ送信する。【００１１】
ここで、複数の下りリンクコンポーネントキャリアにおけるＰＤＣＣＨおよび／またはＰＤＳＣＨの送信に対するＨＡＲＱにおける制御情報を送信するために、移動局装置は、それぞれのコンポーネントキャリアで送信されるＰＤＣＣＨおよび／またはＰＤＳＣＨに対するＡＣＫ、ＮＡＣＫ、ＤＴＸを示す情報を、基地局装置へ送信する必要がある。例えば、移動局装置は、５つの下りリンクコンポーネントキャリアにおいて、基地局装置によってＰＤＣＣＨおよび／またはＰＤＳＣＨの送信が行われた場合には、ＡＣＫ、ＮＡＣＫ、ＤＴＸのいずれかを示す情報を通知する必要があるため、３の５乗の状態（２４３の状態）を示すことが可能な情報を基地局装置へ送信しなければならない。これをビット情報として表現するためには、８ビット（２５６の状態を表現可能）の情報ビットが必要である。【００１２】
非特許文献２では、基地局装置が、ＨＡＲＱの制御情報を送信するためのＰＵＣＣＨリソースを移動局装置へ複数割り当て、移動局装置が、割り当てられたＰＵＣＣＨリソースの中から１つのＰＵＣＣＨリソースを選択し、選択したＰＵＣＣＨリソースを使用してＨＡＲＱの制御情報を基地局装置へ送信する送信方法が提案されている。例えば、基地局装置は、複数の下りリンクコンポーネントキャリアで送信されるＰＤＳＣＨそれぞれに対応させてＰＵＣＣＨリソースを移動局装置へ割り当て、移動局装置は、複数のＰＵＣＣＨリソースの中から１つのＰＵＣＣＨリソースを選択し、選択したＰＵＣＣＨリソースを使用してＨＡＲＱの制御情報を送信する。基地局装置においては、移動局装置によって送信されたビット情報に加え、移動局装置によって選択されたＰＵＣＣＨリソースを抽出することによって、基地局装置と移動局装置の間で、ＨＡＲＱの制御情報を示す情報を送受信する。
【先行技術文献】
【非特許文献】
【００１３】
【非特許文献１】“Ｃａｒｒｉｅｒ  ａｇｇｒｅｇａｔｉｏｎ  ｉｎ  ＬＴＥ−Ａｄｖａｎｃｅ”、  ３ＧＰＰ  ＴＳＧ  ＲＡＮ  ＷＧ１  ＃５３ｂｉｓ、Ｒ１−０８２４６８
【非特許文献２】“ＡＣＫ／ＮＡＣＫ  ｔｒａｎｓｍｉｓｓｉｏｎ  ｓｃｈｅｍｅｓ  ｆｏｒ  ｃａｒｒｉｅｒ  ａｇｇｒｅｇａｔｉｏｎ”、  ３ＧＰＰ  ＴＳＧ  ＲＡＮ  ＷＧ１  ＃５９ｂｉｓ、Ｒ１−１００３６６
【発明の概要】
【発明が解決しようとする課題】
【００１４】
しかしながら、従来の技術では、基地局装置と移動局装置間において、ＨＡＲＱにおける制御情報の他にも、多くの制御情報（上りリンク制御情報、ＵＣＩ：Ｕｐｌｉｎｋ  Ｃｏｎｔｒｏｌ  Ｉｎｆｏｒｍａｔｉｏｎ）をやりとりしなければならず、これらの制御情報を効率的に送受信することができなかった。【００１５】
ＬＴＥ−Ａでは、複数のコンポーネントキャリアによる送信が行われることから多くの制御情報の送信に対する要求があり、これらの制御情報を効率的に送受信する必要がある。しかしながら、従来の技術では、例えば、基地局装置は、ＨＡＲＱの制御情報を送信するための上りリンクリソースと、他の制御情報を送信するための上りリンクリソースを、それぞれ頻繁に割り当てなければならなかった。また、例えば、移動局装置は、基地局装置へＨＡＲＱにおける制御情報を送信するタイミングであるとともに、他の制御情報を送信するタイミングである場合には、ＨＡＲＱにおける制御情報、または、他の制御情報の送信を保留(延期、ドロップ)しなければならなかった。すなわち、移動局装置は、制御情報の送信を保留(延期、ドロップ)した際には、基地局装置によって割り当てられた次のタイミングの上りリンクリソースを使用して、これらの制御情報を送信しなければならなかった。これにより、従来の技術では、移動通信システムにおけるスループットが低下してしまうという問題があった。
【００１６】
本発明は、このような事情に鑑みてなされたものであり、基地局装置と移動局装置が、複数のコンポーネントキャリアによって構成される広帯域な周波数帯域を使用して通信を行う際に、ＨＡＲＱにおける制御情報とともに他の制御情報を効率的に送信し、移動通信システムにおけるスループットの低下を防ぐことができる移動通信システムおよび移動通信方法を提供することを目的とする。
【課題を解決するための手段】
【００１７】
（１）上記の目的を達成するために、本発明は以下のような手段を講じた。すなわち、本発明の移動通信システムは、集約された複数のコンポーネントキャリアを使用して基地局装置と移動局装置が通信する移動通信システムであって、基地局装置は、複数の物理上りリンク制御チャネルリソースを設定するための情報を、無線資源制御信号を使用して移動局装置へ送信し、複数の物理上りリンク制御チャネルリソースの中から１つの物理上りリンク制御チャネルリソースを決定するための情報を、物理下りリンク制御チャネルを使用して移動局装置へ送信し、移動局装置は、ＨＡＲＱにおける制御情報とスケジューリングリクエストとを、物理下りリンク制御チャネルによって指示された物理上りリンク制御チャネルリソースを使用して、基地局装置へ送信することを特徴としている。【００１８】
（２）また、上記移動通信システムにおいて、ＨＡＲＱにおける制御情報は、基地局装置によって、あるサブフレームでコンポーネントキャリアにおいて送信される下りリンクトランスポートブロックに対するＡＣＫ／ＮＡＣＫを示す情報を含むことを特徴としている。【００１９】
（３）また、移動局装置が、あるサブフレームで基地局装置によって送信される１つまたは複数の下りリンクトランスポートブロックに対するＨＡＲＱにおける制御情報を、基地局装置へ送信する移動通信システムであって、基地局装置は、複数の物理上りリンク制御チャネルリソースを設定するための情報を、無線資源制御信号を使用して移動局装置へ送信し、複数の物理上りリンク制御チャネルリソースの中から１つの物理上りリンク制御チャネルリソースを決定するための情報を、物理下りリンク制御チャネルを使用して移動局装置へ送信し、移動局装置は、ＨＡＲＱにおける制御情報とスケジューリングリクエストとを、物理下りリンク制御チャネルによって指示された物理上りリンク制御チャネルリソースを使用して、基地局装置へ送信することを特徴としている。【００２０】
（４）また、上記移動通信システムにおいて、スケジューリングリクエストは、ＨＡＲＱにおける制御情報のビットの系列の最後に付け足されることを特徴としている。【００２１】
（５）また、上記移動通信システムにおいて、スケジューリングリクエストは、基地局装置へスケジューリングを要求する、または、基地局装置へスケジューリングを要求しないことを示す１ビットの情報であることを特徴としている。【００２２】
（６）また、上記移動通信システムにおいて、無線資源制御信号によって設定される物理上りリンク制御チャネルリソースは、４つであることを特徴としている。【００２３】
（７）また、集約された複数のコンポーネントキャリアを使用して基地局装置と移動局装置が通信する移動通信システムにおける基地局装置であって、複数の物理上りリンク制御チャネルリソースを設定するための情報を、無線資源制御信号を使用して移動局装置へ送信する手段と、複数の物理上りリンク制御チャネルリソースの中から１つの物理上りリンク制御チャネルリソースを決定するための情報を、物理下りリンク制御チャネルを使用して移動局装置へ送信する手段と、ＨＡＲＱにおける制御情報とスケジューリングリクエストとを、物理下りリンク制御チャネルによって指示された物理上りリンク制御チャネルリソースを使用して、移動局装置から受信する手段と、を備えることを特徴としている。【００２４】
（８）また、上記基地局装置において、ＨＡＲＱにおける制御情報は、基地局装置によって、あるサブフレームでコンポーネントキャリアにおいて送信される下りリンクトランスポートブロックに対するＡＣＫ／ＮＡＣＫを示す情報を含むことを特徴としている。【００２５】
（９）また、移動局装置が、あるサブフレームで基地局装置によって送信される１つまたは複数の下りリンクトランスポートブロックに対するＨＡＲＱにおける制御情報を、基地局装置へ送信する移動通信システムにおける基地局装置であって、複数の物理上りリンク制御チャネルリソースを設定するための情報を、無線資源制御信号を使用して移動局装置へ送信する手段と、複数の物理上りリンク制御チャネルリソースの中から１つの物理上りリンク制御チャネルリソースを決定するための情報を、物理下りリンク制御チャネルを使用して移動局装置へ送信する手段と、ＨＡＲＱにおける制御情報とスケジューリングリクエストとを、物理下りリンク制御チャネルによって指示された物理上りリンク制御チャネルリソースを使用して、移動局装置から受信する手段と、を備えることを特徴としている。【００２６】
（１０）また、上記基地局装置において、スケジューリングリクエストは、ＨＡＲＱにおける制御情報のビットの系列の最後に付け足されることを特徴としている。【００２７】
（１１）また、上記基地局装置において、スケジューリングリクエストは、基地局装置へスケジューリングを要求する、または、基地局装置へスケジューリングを要求しないことを示す１ビットの情報であることを特徴としている。【００２８】
（１２）また、上記基地局装置において、無線資源制御信号によって設定される物理上りリンク制御チャネルリソースは、４つであることを特徴としている。【００２９】
（１３）また、集約された複数のコンポーネントキャリアを使用して基地局装置と移動局装置が通信する移動通信システムにおける移動局装置であって、複数の物理上りリンク制御チャネルリソースを設定するための情報を、無線資源制御信号を使用して基地局装置から受信する手段と、複数の物理上りリンク制御チャネルリソースの中から１つの物理上りリンク制御チャネルリソースを決定するための情報を、物理下りリンク制御チャネルを使用して基地局装置から受信する手段と、ＨＡＲＱにおける制御情報とスケジューリングリクエストとを、物理下りリンク制御チャネルによって指示された物理上りリンク制御チャネルリソースを使用して、基地局装置へ送信する手段と、を備えることを特徴としている。【００３０】
（１４）また、上記移動局装置において、ＨＡＲＱにおける制御情報は、基地局装置によって、あるサブフレームで送信される下りリンクトランスポートブロックに対するＡＣＫ／ＮＡＣＫを示す情報を含むことを特徴としている。【００３１】
（１５）また、移動局装置が、あるサブフレームで基地局装置によって送信される１つまたは複数の下りリンクトランスポートブロックに対するＨＡＲＱにおける制御情報を、基地局装置へ送信する移動通信システムにおける移動局装置であって、複数の物理上りリンク制御チャネルリソースを設定するための情報を、無線資源制御信号を使用して基地局装置から受信する手段と、複数の物理上りリンク制御チャネルリソースの中から１つの物理上りリンク制御チャネルリソースを決定するための情報を、物理下りリンク制御チャネルを使用して基地局装置から受信する手段と、ＨＡＲＱにおける制御情報とスケジューリングリクエストとを、物理下りリンク制御チャネルによって指示された物理上りリンク制御チャネルリソースを使用して、基地局装置へ送信する手段と、を備えることを特徴としている。【００３２】
（１６）また、上記移動局装置において、スケジューリングリクエストは、ＨＡＲＱにおける制御情報のビットの系列の最後に付け足されることを特徴としている。【００３３】
（１７）また、上記移動局装置において、スケジューリングリクエストは、基地局装置へスケジューリングを要求する、または、基地局装置へスケジューリングを要求しないことを示す１ビットの情報であることを特徴としている。【００３４】
（１８）また、上記移動局装置において、無線資源制御信号によって設定される物理上りリンク制御チャネルリソースは、４つであることを特徴としている。【００３５】
（１９）また、集約された複数のコンポーネントキャリアを使用して基地局装置と移動局装置が通信する移動通信システムにおける基地局装置の通信方法であって、複数の物理上りリンク制御チャネルリソースを設定するための情報を、無線資源制御信号を使用して移動局装置へ送信し、複数の物理上りリンク制御チャネルリソースの中から１つの物理上りリンク制御チャネルリソースを決定するための情報を、物理下りリンク制御チャネルを使用して移動局装置へ送信し、ＨＡＲＱにおける制御情報とスケジューリングリクエストとを、物理下りリンク制御チャネルによって指示された物理上りリンク制御チャネルリソースを使用して、移動局装置から受信することを特徴としている。【００３６】
（２０）また、移動局装置が、あるサブフレームで基地局装置によって送信される１つまたは複数の下りリンクトランスポートブロックに対するＨＡＲＱにおける制御情報を、基地局装置へ送信する移動通信システムにおける基地局装置の通信方法であって、複数の物理上りリンク制御チャネルリソースを設定するための情報を、無線資源制御信号を使用して移動局装置へ送信し、複数の物理上りリンク制御チャネルリソースの中から１つの物理上りリンク制御チャネルリソースを決定するための情報を、物理下りリンク制御チャネルを使用して移動局装置へ送信し、ＨＡＲＱにおける制御情報とスケジューリングリクエストとを、物理下りリンク制御チャネルによって指示された物理上りリンク制御チャネルリソースを使用して、移動局装置から受信することを特徴としている。【００３７】
（２１）また、集約された複数のコンポーネントキャリアを使用して基地局装置と移動局装置が通信する移動通信システムにおける移動局装置の通信方法であって、複数の物理上りリンク制御チャネルリソースを設定するための情報を、無線資源制御信号を使用して基地局装置から受信し、複数の物理上りリンク制御チャネルリソースの中から１つの物理上りリンク制御チャネルリソースを決定するための情報を、物理下りリンク制御チャネルを使用して基地局装置から受信し、ＨＡＲＱにおける制御情報とスケジューリングリクエストとを、物理下りリンク制御チャネルによって指示された物理上りリンク制御チャネルリソースを使用して、基地局装置へ送信することを特徴としている。【００３８】
（２２）また、移動局装置が、あるサブフレームで基地局装置によって送信される１つまたは複数の下りリンクトランスポートブロックに対するＨＡＲＱにおける制御情報を、基地局装置へ送信する移動通信システムにおける移動局装置の通信方法であって、複数の物理上りリンク制御チャネルリソースを設定するための情報を、無線資源制御信号を使用して基地局装置から受信し、複数の物理上りリンク制御チャネルリソースの中から１つの物理上りリンク制御チャネルリソースを決定するための情報を、物理下りリンク制御チャネルを使用して基地局装置から受信し、ＨＡＲＱにおける制御情報とスケジューリングリクエストとを、物理下りリンク制御チャネルによって指示された物理上りリンク制御チャネルリソースを使用して、基地局装置へ送信することを特徴としている。【００３９】
（２３）また、集約された複数のコンポーネントキャリアを使用して基地局装置と移動局装置が通信する移動通信システムにおける基地局装置に搭載される集積回路であって、複数の物理上りリンク制御チャネルリソースを設定するための情報を、無線資源制御信号を使用して移動局装置へ送信する処理と、複数の物理上りリンク制御チャネルリソースの中から１つの物理上りリンク制御チャネルリソースを決定するための情報を、物理下りリンク制御チャネルを使用して移動局装置へ送信する処理と、ＨＡＲＱにおける制御情報とスケジューリングリクエストとを、物理下りリンク制御チャネルによって指示された物理上りリンク制御チャネルリソースを使用して、移動局装置から受信する処理と、を実行することを特徴としている。【００４０】
（２４）また、移動局装置が、あるサブフレームで基地局装置によって送信される１つまたは複数の下りリンクトランスポートブロックに対するＨＡＲＱにおける制御情報を、基地局装置へ送信する移動通信システムにおける基地局装置に搭載される集積回路であって、複数の物理上りリンク制御チャネルリソースを設定するための情報を、無線資源制御信号を使用して移動局装置へ送信する処理と、複数の物理上りリンク制御チャネルリソースの中から１つの物理上りリンク制御チャネルリソースを決定するための情報を、物理下りリンク制御チャネルを使用して移動局装置へ送信する処理と、ＨＡＲＱにおける制御情報とスケジューリングリクエストとを、物理下りリンク制御チャネルによって指示された物理上りリンク制御チャネルリソースを使用して、移動局装置から受信する処理と、を実行することを特徴としている。【００４１】
（２５）また、集約された複数のコンポーネントキャリアを使用して基地局装置と移動局装置が通信する移動通信システムにおける移動局装置に搭載される集積回路であって、複数の物理上りリンク制御チャネルリソースを設定するための情報を、無線資源制御信号を使用して基地局装置から受信する処理と、複数の物理上りリンク制御チャネルリソースの中から１つの物理上りリンク制御チャネルリソースを決定するための情報を、物理下りリンク制御チャネルを使用して基地局装置から受信する処理と、ＨＡＲＱにおける制御情報とスケジューリングリクエストとを、物理下りリンク制御チャネルによって指示された物理上りリンク制御チャネルリソースを使用して、基地局装置へ送信する処理と、を実行することを特徴としている。【００４２】
（２６）また、移動局装置が、あるサブフレームで基地局装置によって送信される１つまたは複数の下りリンクトランスポートブロックに対するＨＡＲＱにおける制御情報を、基地局装置へ送信する移動通信システムにおける移動局装置に搭載される集積回路であって、複数の物理上りリンク制御チャネルリソースを設定するための情報を、無線資源制御信号を使用して基地局装置から受信する処理と、複数の物理上りリンク制御チャネルリソースの中から１つの物理上りリンク制御チャネルリソースを決定するための情報を、物理下りリンク制御チャネルを使用して基地局装置から受信する処理と、ＨＡＲＱにおける制御情報とスケジューリングリクエストとを、物理下りリンク制御チャネルによって指示された物理上りリンク制御チャネルリソースを使用して、基地局装置へ送信する処理と、を実行することを特徴としている。
【発明の効果】
【００４３】
本発明は、基地局装置と移動局装置が、複数のコンポーネントキャリアによって構成される広帯域な周波数帯域を使用して通信を行う際に、ＨＡＲＱにおける制御情報とともに他の制御情報を効率的に送信し、移動通信システムにおけるスループットの低下を防ぐことができる。
【図面の簡単な説明】
【００４４】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】本発明の実施形態が適用可能な移動通信システムの例を示す図である。
【図５】本発明の実施形態が適用可能なシーケンスチャートの例を示す図である。
【図６】本発明の実施形態が適用可能なテーブルの構成の例を示す図である。
【図７】本発明の実施形態が適用可能なテーブルの構成の別の例を示す図である。
【図８】従来の技術における周波数帯域集約の例を示す図である。
【図９】従来の技術における非対称周波数帯域集約の例を示す図である。
【発明を実施するための形態】
【００４５】
次に、本発明に係る実施形態について、図面を参照しながら説明する。図１は、本発明の実施形態におけるチャネルの一構成例を示す図である。下りリンクの物理チャネルは、物理報知チャネル（ＰＢＣＨ：Ｐｈｙｓｉｃａｌ  Ｂｒｏａｄｃａｓｔ  Ｃｈａｎｎｅｌ）、ＰＤＣＣＨ、ＰＤＳＣＨ、物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）によって構成される。上りリンクの物理チャネルは、ＰＵＳＣＨ、ＰＵＣＣＨによって構成される。
【００４６】
ＰＢＣＨは、４０ミリ秒間隔で報知チャネル（ＢＣＨ）をマッピングする。４０ミリ秒のタイミングは、ブラインド検出（ｂｌｉｎｄ  ｄｅｔｅｃｔｉｏｎ）される。すなわち、タイミング提示のために、明示的なシグナリングを行なわない。また、ＰＢＣＨを含むサブフレームは、そのサブフレームだけで復号できる（自己復号可能：ｓｅｌｆ−ｄｅｃｏｄａｂｌｅ）。
【００４７】
ＰＤＣＣＨは、下りリンク制御情報を送信するために使用されるチャネルである。ＰＤＣＣＨは、ＰＤＳＣＨのリソース割り当て、下りリンクデータに対するＨＡＲＱ情報のリソース割り当てである上りリンク送信許可、および、ＰＵＳＣＨのリソース割り当てである上りリンク送信許可を移動局装置に通知するために使用されるチャネルである。ＰＤＣＣＨは、複数のＣＣＥによって構成され、移動局装置は、このＣＣＥで構成されるＰＤＣＣＨを検出することによって、基地局装置からＰＤＣＣＨを受信する。ＣＣＥは、周波数、時間領域において分散している複数のリソースエレメントグループ（ＲＥＧ：Ｒｅｓｏｕｒｃｅ  Ｅｌｅｍｅｎｔ  Ｇｒｏｕｐ、ｍｉｎｉ−ＣＣＥとも呼ばれる）によって構成される。ここで、リソースエレメントとは、１ＯＦＤＭシンボル（時間成分）、１サブキャリア（周波数成分）で構成される単位リソースであり、例えば、ＲＥＧは、同一ＯＦＤＭシンボル内の周波数領域において、下りリンクパイロットチャネルを除いて、周波数領域で連続する４個の下りリンクのリソースエレメントによって構成される。また、例えば、１つのＰＤＣＣＨは、ＣＣＥを識別する番号（ＣＣＥインデックス）が連続する１個、２個、４個、８個のＣＣＥによって構成される。
【００４８】
ＰＤＣＣＨは、移動局装置ごと、種別ごとに別々に符号化（ＳｅｐａｒａｔｅＣｏｄｉｎｇ）される。すなわち、移動局装置は、複数のＰＤＣＣＨを検出して、下りリンクまたは上りリンクのリソース割り当てや、その他の制御情報を示す情報を取得する。各ＰＤＣＣＨには、ＣＲＣ（巡回冗長検査）の値が付与されており、移動局装置は、ＰＤＣＣＨが構成されうるＣＣＥのセットのそれぞれに対してＣＲＣを行い、ＣＲＣが成功したＰＤＣＣＨを取得する。これは、ブラインドデコーディング（ｂｌｉｎｄ  ｄｅｃｏｄｉｎｇ）と呼ばれ、移動局装置が、このブラインドデコーディングを行うＰＤＣＣＨが構成されうるＣＣＥのセットの範囲は、検索領域（Ｓｅａｒｃｈ  Ｓｐａｃｅ）と呼ばれる。すなわち、移動局装置は、検索領域内のＣＣＥに対して、ブラインドデコーディングを行い、ＰＤＣＣＨの検出を行う。
【００４９】
移動局装置は、ＰＤＣＣＨにＰＤＳＣＨのリソース割り当てが含まれる場合、基地局装置からのＰＤＣＣＨによって指示されたリソース割り当てに応じて、ＰＤＳＣＨを使用して下りリンク信号（データ）（下りリンクデータ（下りリンク共用チャネル（ＤＬ−ＳＣＨ））、および／または、下りリンク制御データ）を受信する。すなわち、このＰＤＣＣＨは、下りリンクに対するリソース割り当てを行なう信号（以下、「下りリンク送信許可信号」または「下りリンクグラント」と呼称する。）である。また、移動局装置は、ＰＤＣＣＨにＰＵＳＣＨのリソース割り当てが含まれる場合、基地局装置からのＰＤＣＣＨによって指示されたリソース割り当てに応じて、ＰＵＳＣＨを使用して上りリンク信号（データ）（上りリンクデータ（上りリンク共用チャネル（ＵＬ−ＳＣＨ））、および／または、上りリンク制御データ）を送信する。すなわち、このＰＤＣＣＨは、上りリンクに対するデータ送信を許可する信号（以下、「上りリンク送信許可信号」または「上りリンクグラント」と呼称する。）である。
【００５０】
ＰＤＳＣＨは、主に、下りリンクデータ（下りリンク共用チャネル（ＤＬ−ＳＣＨ））またはページング情報（ページングチャネル（ＰＣＨ））を送信するために使用されるチャネルである。ここで、下りリンクデータ（下りリンク共用チャネル（ＤＬ−ＳＣＨ））とは、例えば、ユーザデータの送信を示しており、ＤＬ−ＳＣＨは、トランスポートチャネルである。ＤＬ−ＳＣＨでは、ＨＡＲＱ、動的適応無線リンク制御がサポートされる。また、ＤＬ−ＳＣＨでは、動的なリソース割り当て、および、準静的なリソース割り当てがサポートされる。
【００５１】
ＰＵＳＣＨは、主に、上りリンクデータ（上りリンク共用チャネル：ＵＬ−ＳＣＨ）を送信するために使用されるチャネルである。また、基地局装置が、移動局装置をスケジューリングした場合には、上りリンク制御データ（制御情報、上りリンク制御情報）もＰＵＳＣＨを使用して送信される。この上りリンク制御データには、チャネル状態情報ＣＳＩ（Ｃｈａｎｎｅｌ  Ｓｔａｔｅ  Ｉｎｆｏｒｍａｔｉｏｎ、もしくは、Ｃｈａｎｎｅｌ  Ｓｔａｔｉｓｔｉｃａｌ  Ｉｎｆｏｒｍａｔｉｏｎ）や、下りリンクのチャネル品質識別子ＣＱＩ（Ｃｈａｎｎｅｌ  Ｑｕａｌｉｔｙ  Ｉｎｄｉｃａｔｏｒ）や、プレコーディングマトリックス識別子ＰＭＩ（Ｐｒｅｃｏｄｉｎｇ  Ｍａｔｉｘ  Ｉｎｄｉｃａｔｏｒ）や、ランク識別子ＲＩ（Ｒａｎｋ  Ｉｎｄｉｃａｔｏｒ）や、下りリンク信号（下りリンクトランスポートブロック）の送信に対するＨＡＲＱにおける制御情報などが含まれる。ここで、下りリンク信号の送信に対するＨＡＲＱにおける制御情報とは、ＰＤＣＣＨおよび／または下りリンクトランスポートブロックに対するＡＣＫ／ＮＡＣＫを示す情報および／またはＤＴＸを示す情報が含まれる。ＤＴＸとは、移動局装置が基地局装置からのＰＤＣＣＨを検出できなかったことを示す情報である。ＰＵＳＣＨでは、ＰＵＳＣＨで送信するデータ（上りリンクトランスポートブロック）から、予め決められた生成多項式を用いて生成する２４ｂｉｔのＣＲＣ符号をデータに付加をしてから、基地局装置に送信する。
【００５２】
また、上りリンクデータ（ＵＬ−ＳＣＨ）および下りリンクデータ（ＤＬ−ＳＣＨ）には、基地局装置と移動局装置の間でやり取りされる無線資源制御信号（以下、「ＲＲＣシグナリング：Ｒａｄｉｏ  Ｒｅｓｏｕｒｃｅ  Ｃｏｎｔｒｏｌ  Ｓｉｇｎａｌｉｎｇ」と呼称する。）や、ＭＡＣ（Ｍｅｄｉｕｍ  Ａｃｃｅｓｓ  Ｃｏｎｔｒｏｌ）コントロールエレメントなどが含まれていても良い。ここで、ＲＲＣシグナリングとは、基地局装置と移動局装置において、上位層（無線リソース制御（Ｒａｄｉｏ  Ｒｅｓｏｕｒｃｅ  Ｃｏｎｔｒｏｌ）層）でやり取りされる信号である。
【００５３】
ＰＵＣＣＨは、上りリンク制御データ（制御情報、上りリンク制御情報）を送信するために使用されるチャネルである。ここで、上りリンク制御データには、例えば、スケジューリングリクエストが含まれる。スケジューリングリクエストは、移動局装置が、基地局装置へＰＵＳＣＨの送信要求を送信するために使用する。すなわち、移動局装置は、上りリンクデータを送信するためのリソースの割り当てを要求する（ＵＬ−ＳＣＨでの送信を要求する）際にスケジューリングリクエストを基地局装置へ送信する。
【００５４】
ここで、基地局装置と移動局装置が、複数のコンポーネントキャリアを使用して通信を行う場合、移動局装置から送信されるスケジューリングリクエストは、複数の上りリンクコンポーネントキャリアにおいて上りリンクデータを送信するためのリソースの割り当てを要求する際に使用される。すなわち、移動局装置は、複数の上りリンクコンポーネントキャリアにおけるＰＵＳＣＨの送信要求を行うために、スケジューリング要求を基地局装置へ送信する。基地局装置は、移動局装置からスケジューリング要求を受信すると、管理するセル内のリソース状況などを考慮して、複数の上りリンクコンポーネントキャリアにおけるＰＵＳＣＨを移動局装置へ割り当てる。
【００５５】
すなわち、例えば、２つの上りリンクコンポーネントキャリア（図９におけるＵＣＣ１、ＵＣＣ２）を使用して通信を行っている基地局装置と移動局装置において、移動局装置は、スケジューリングリクエストを送信することによって、ＵＣＣ１および／またはＵＣＣ２において上りリンクデータを送信するためのリソース（例えば、ＰＵＳＣＨ）を、基地局装置へ要求する。基地局装置は、移動局装置からスケジューリングリクエストを受信することによって、管理するセル内のリソース状況などを考慮して、ＵＣＣ１および／またはＵＣＣ２における上りリンクデータを送信するためのリソース（例えば、ＰＵＳＣＨ）を移動局装置へ割り当てる。
【００５６】
また、上りリンク制御データには、移動局装置から基地局装置へ送信（フィードバック）されるチャネル状態情報ＣＳＩ（Ｃｈａｎｎｅｌ  Ｓｔａｔｅ  Ｉｎｆｏｒｍａｔｉｏｎ、もしくは、Ｃｈａｎｎｅｌ  Ｓｔａｔｉｓｔｉｃａｌ  Ｉｎｆｏｒｍａｔｉｏｎ）や、下りリンクのチャネル品質識別子ＣＱＩ（Ｃｈａｎｎｅｌ  Ｑｕａｌｉｔｙ  Ｉｎｄｉｃａｔｏｒ）や、プレコーディングマトリックス識別子ＰＭＩ（Ｐｒｅｃｏｄｉｎｇ  Ｍａｔｒｉｘ  Ｉｎｄｉｃａｔｏｒ）や、ランク識別子ＲＩ（Ｒａｎｋ  Ｉｎｄｉｃａｔｏｒ）が含まれる。
【００５７】
ここで、ＡＣＫ、ＮＡＣＫは、ＨＡＲＱのために用いられる。ＨＡＲＱは、自動再送（Ａｕｔｏｍａｔｉｃ  Ｒｅｐｅａｔ  ｒｅＱｕｅｓｔ；ＡＲＱ）とターボ符号化等の誤り訂正符号と、を組み合わせて誤り制御を行う。例えば、チェイス合成（Ｃｈａｉｓｅ  Ｃｏｍｂｉｎｉｎｇ；ＣＣ）を用いるＨＡＲＱは、受信パケットに誤りが検出されると、全く同一のパケットの再送を要求し、これらの２つの受信パケットを合成することにより、受信品質を高めている。また、増加冗長（Ｉｎｃｒｅｍｅｎｔａｌ  Ｒｅｄｕｎｄａｎｃｙ；ＩＲ）を用いるＨＡＲＱは、冗長ビットを分割し、分割したビットに分けて少しずつ順次再送するため、再送回数が増えるに従って符号化率を低下させることにより、誤り訂正能力を強化している。
【００５８】
ここで、ＰＵＣＣＨでは、一つのスケジュール単位（２リソースブロック）に対して周波数方向（１２サブキャリア）と、時間方向（伝搬路推定のための）、系列長が１２であるＣＡＺＡＣ（Ｃｏｎｓｔａｎｔ  Ａｍｐｌｉｔｕｄｅ  ａｎｄ  Ｚｅｒｏ  Ａｕｔｏ−Ｃｏｒｒｅｌａｔｉｏｎ）系列を利用した周波数方向に対する符号拡散が行われる。ＣＡＺＡＣ系列とは、時間領域および周波数領域において一定振幅かつ自己相関特性に優れた系列のことである。時間領域で一定振幅であることからＰＡＰＲ（Ｐｅａｋ  ｔｏ  Ａｖｅｒａｇｅ  Ｐｏｗｅｒ  Ｒａｔｉｏ）を低く抑えることが可能である。例えば、ＰＵＣＣＨでは、長さ１２のＣＡＺＡＣ系列に対して、サイクリックシフト（Ｃｙｃｌｉｃ  Ｓｈｉｆｔ：巡回遅延）を与えることにより、ユーザ間の多重を実現することができる。また、ＨＡＲＱにおける制御情報を送信する際には、ブロック符号により時間領域における符号拡散を利用することができ、具体的には系列長が４であるＷａｌｓｈ符号を用いることができる。このように、ＨＡＲＱにおける制御情報を送信する際のＰＵＣＣＨリソースは、同じ時間、周波数リソースで、符号によりユーザ多重を実現することができる。
【００５９】
［基地局装置の構成］
図２は、本発明の実施形態に係る基地局装置２００の概略構成を示すブロック図である。基地局装置２００は、データ制御部２０１と、ＯＦＤＭ変調部２０２と、無線部２０３と、スケジューリング部２０４と、チャネル推定部２０５と、ＤＦＴ−Ｓｐｒｅａｄ−ＯＦＤＭ（ＤＦＴ−Ｓ−ＯＦＤＭ）復調部２０６と、データ抽出部２０７と、上位層２０８と、を含んで構成される。また、無線部２０３、スケジューリング部２０４、チャネル推定部２０５、ＤＦＴ−Ｓｐｒｅａｄ−ＯＦＤＭ（ＤＦＴ−Ｓ−ＯＦＤＭ）復調部２０６、データ抽出部２０７、上位層２０８で受信部を構成し、データ制御部２０１、ＯＦＤＭ変調部２０２、無線部２０３、スケジューリング部２０４、上位層２０８で送信部を構成している。
【００６０】
無線部２０３、チャネル推定部２０５、ＤＦＴ−Ｓｐｒｅａｄ−ＯＦＤＭ（ＤＦＴ−Ｓ−ＯＦＤＭ）復調部２０６、データ抽出部２０７で上りリンクの物理層の処理を行なう。無線部２０３、ＯＦＤＭ変調部２０２、データ制御部２０１で下りリンクの物理層の処理を行なう。
【００６１】
データ制御部２０１は、スケジューリング部２０４からトランスポートチャネルおよびスケジューリング情報を受信する。トランスポートチャネルと物理層で生成される信号およびチャネルを、スケジューリング部２０４から入力されるスケジューリング情報に基づいて、物理チャネルにマッピングする。以上のようにマッピングされた各データは、ＯＦＤＭ変調部２０２へ出力される。
【００６２】
ＯＦＤＭ変調部２０２は、データ制御部２０１から入力されたデータに対して、スケジューリング部２０４からのスケジューリング情報（下りリンク物理リソースブロックＰＲＢ（Ｐｈｙｓｉｃａｌ  Ｒｅｓｏｕｒｃｅ  Ｂｌｏｃｋ）割り当て情報（例えば、周波数、時間など物理リソースブロック位置情報）や、各ＰＲＢに対応する変調方式および符号化方式（例えば、１６ＱＡＭ変調、２／３コーディングレート）などを含む）に基づいて、符号化、データ変調、入力信号の直列／並列変換、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）処理、ＣＰ（Ｃｙｃｌｉｃ  Ｐｒｅｆｉｘ）挿入、並びに、フィルタリングなどＯＦＤＭ信号処理を行ない、ＯＦＤＭ信号を生成して、無線部２０３へ出力する。
【００６３】
無線部２０３は、ＯＦＤＭ変調部２０２から入力された変調データを無線周波数にアップコンバートして無線信号を生成し、アンテナ（図示せず）を介して、移動局装置３００に送信する。また、無線部２０３は、移動局装置３００からの上りリンクの無線信号を、アンテナ（図示せず）を介して受信し、ベースバンド信号にダウンコンバートして、受信データをチャネル推定部２０５とＤＦＴ−Ｓ−ＯＦＤＭ復調部２０６とに出力する。
【００６４】
スケジューリング部２０４は、媒体アクセス制御（ＭＡＣ：Ｍｅｄｉｕｍ  Ａｃｃｅｓｓ  Ｃｏｎｔｒｏｌ）層の処理を行なう。スケジューリング部２０４は、論理チャネルとトランスポートチャネルのマッピング、下りリンクおよび上りリンクのスケジューリング（ＨＡＲＱ処理、トランスポートフォーマットの選択など）などを行なう。
【００６５】
スケジューリング部２０４は、下りリンクのスケジューリングでは、移動局装置３００から受信した上りリンクのフィードバック情報（下りリンクのチャネルフィードバック情報（チャネル状態情報（チャネル品質、ストリームの数、プレコーディング情報など））や、下りリンクデータに対するＡＣＫ／ＮＡＣＫフィードバック情報など）、各移動局装置の使用可能なＰＲＢの情報、バッファ状況、上位層２０８から入力されたスケジューリング情報などに基づいて、各データを変調するための下りリンクのトランスポートフォーマット（送信形態）（物理リソースブロックの割り当ておよび変調方式および符号化方式など）の選定処理およびＨＡＲＱにおける再送制御を行なう。これら下りリンクのスケジューリングに使用されるスケジューリング情報は、データ制御部２０１へ出力される。
【００６６】
また、スケジューリング部２０４は、上りリンクのスケジューリングでは、チャネル推定部２０５が出力する上りリンクのチャネル状態（無線伝搬路状態）の推定結果、移動局装置３００からのリソース割り当て要求、各移動局装置３００の使用可能なＰＲＢの情報、上位層２０８から入力されたスケジューリング情報などに基づいて、各データを変調するための上りリンクのトランスポートフォーマット（送信形態）（物理リソースブロックの割り当ておよび変調方式および符号化方式など）の選定処理を行なう。これら上りリンクのスケジューリングに使用されるスケジューリング情報は、データ制御部２０１へ出力される。
【００６７】
また、スケジューリング部２０４は、上位層２０８から入力された下りリンクの論理チャネルをトランスポートチャネルにマッピングし、データ制御部２０１へ出力する。また、スケジューリング部２０４は、データ抽出部２０７から入力された上りリンクで取得した制御データとトランスポートチャンネルを、必要に応じて処理した後、上りリンクの論理チャネルにマッピングし、上位層２０８へ出力する。
【００６８】
チャネル推定部２０５は、上りリンクデータの復調のために、上りリンク復調用参照信号（ＤＲＳ：Ｄｅｍｏｄｕｌａｔｉｏｎ  Ｒｅｆｅｒｅｎｃｅ  Ｓｉｇｎａｌ）から上りリンクのチャネル状態を推定し、その推定結果をＤＦＴ−Ｓ−ＯＦＤＭ復調部２０６に出力する。また、上りリンクのスケジューリングを行なうために、上りリンク測定用参照信号（ＳＲＳ：Ｓｏｕｎｄｉｎｇ  Ｒｅｆｅｒｅｎｃｅ  Ｓｉｇｎａｌ）から上りリンクのチャネル状態を推定し、その推定結果をスケジューリング部２０４に出力する。尚、上りリンクの通信方式は、ＤＦＴ−Ｓ−ＯＦＤＭ等のようなシングルキャリア方式を想定しているが、ＯＦＤＭ方式のようなマルチキャリア方式を用いてもよい。
【００６９】
ＤＦＴ−Ｓ−ＯＦＤＭ復調部２０６は、チャネル推定部２０５から入力された上りリンクのチャネル状態推定結果に基づいて、無線部２０３から入力された変調データに対し、ＤＦＴ変換、サブキャリアマッピング、ＩＦＦＴ変換、フィルタリング等のＤＦＴ−Ｓ−ＯＦＤＭ信号処理を行なって、復調処理を施し、データ抽出部２０７に出力する。ここで、移動局装置において、符号による拡散が行われている場合には、拡散に利用された系列を２０４のスケジューリング部から参照し、その系列に基づき、逆拡散を行う。
【００７０】
データ抽出部２０７は、ＤＦＴ−Ｓ−ＯＦＤＭ復調部２０６から入力されたデータに対して、正誤を確認するとともに、確認結果（肯定信号ＡＣＫ／否定信号ＮＡＣＫ）をスケジューリング部２０４に出力する。また、データ抽出部２０７は、ＤＦＴ−Ｓ−ＯＦＤＭ復調部２０６から入力されたデータからトランスポートチャネルと物理層の制御データとに分離して、スケジューリング部２０４に出力する。分離された制御データには、移動局装置３００から通知された上りリンクのフィードバック情報（下りリンクのチャネルフィードバックレポートＣＦＲ、下りリンクのデータに対するＡＣＫ／ＮＡＣＫフィードバック情報）などが含まれている。
【００７１】
上位層２０８では、無線リソース制御（ＲＲＣ：Ｒａｄｉｏ  Ｒｅｓｏｕｒｃｅ  Ｃｏｎｔｒｏｌ）層の処理を行なう。上位層２０８は、無線リソース制御部２０９（制御部とも言う）を有している。また、無線リソース制御部２０９は、各種設定情報の管理、システム情報の管理、各移動局装置の通信状態の管理、ハンドオーバーなどの移動管理、移動局装置ごとのバッファ状況の管理などを行なっている。
【００７２】
［移動局装置の構成］
図３は、本発明の実施形態に係る移動局装置３００の概略構成を示すブロック図である。移動局装置３００は、データ制御部３０１と、ＤＦＴ−Ｓ−ＯＦＤＭ変調部３０２と、無線部３０３と、スケジューリング部３０４と、チャネル推定部３０５と、ＯＦＤＭ復調部３０６と、データ抽出部３０７と、上位層３０８と、を含んで構成されている。また、データ制御部３０１、ＤＦＴ−Ｓ−ＯＦＤＭ変調部３０２、無線部３０３、スケジューリング部３０４、上位層３０８、で送信部を構成し、無線部３０３、スケジューリング部３０４、チャネル推定部３０５、ＯＦＤＭ復調部３０６、データ抽出部３０７、上位層３０８、で受信部を構成している。
【００７３】
データ制御部３０１、ＤＦＴ−Ｓ−ＯＦＤＭ変調部３０２、無線部３０３、で上りリンクの物理層の処理を行なう。無線部３０３、チャネル推定部３０５、ＯＦＤＭ復調部３０６、データ抽出部３０７、で下りリンクの物理層の処理を行なう。
【００７４】
データ制御部３０１は、スケジューリング部３０４からトランスポートチャネルおよびスケジューリング情報を受信する。トランスポートチャネルと物理層で生成される信号およびチャネルを、スケジューリング部３０４から入力されるスケジューリング情報に基づいて、物理チャネルにマッピングする。このようにマッピングされた各データは、ＤＦＴ−Ｓ−ＯＦＤＭ変調部３０２へ出力される。
【００７５】
ＤＦＴ−Ｓ−ＯＦＤＭ変調部３０２は、データ制御部３０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどのＤＦＴ−Ｓ−ＯＦＤＭ信号処理を行ない、ＤＦＴ−Ｓ−ＯＦＤＭ信号を生成して、無線部３０３へ出力する。なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。また、基地局装置から拡散を行うための符号が通知されている場合には、その符号を利用して拡散を行い、送信信号を生成しても良い。
【００７６】
無線部３０３は、ＤＦＴ−Ｓ−ＯＦＤＭ変調部３０２から入力された変調データを無線周波数にアップコンバートして無線信号を生成し、アンテナ（図示せず）を介して、基地局装置２００に送信する。また、無線部３０３は、基地局装置２００からの下りリンクのデータで変調された無線信号を、アンテナ（図示せず）を介して受信し、ベースバンド信号にダウンコンバートして、受信データを、チャネル推定部３０５およびＯＦＤＭ復調部３０６に出力する。
【００７７】
スケジューリング部３０４は、媒体アクセス制御（ＭＡＣ：Ｍｅｄｉｕｍ  Ａｃｃｅｓｓ  Ｃｏｎｔｒｏｌ）層の処理を行なう。スケジューリング部３０４は、論理チャネルとトランスポートチャネルのマッピング、下りリンクおよび上りリンクのスケジューリング（ＨＡＲＱ処理、トランスポートフォーマットの選択など）などを行なう。スケジューリング部３０４は、下りリンクのスケジューリングでは、基地局装置２００や上位層３０８からのスケジューリング情報（トランスポートフォーマットやＨＡＲＱ再送情報）などに基づいて、トランスポートチャネルおよび物理信号および物理チャネルの受信制御やＨＡＲＱ再送制御を行なう。
【００７８】
スケジューリング部３０４は、上りリンクのスケジューリングでは、上位層３０８から入力された上りリンクのバッファ状況、データ抽出部３０７から入力された基地局装置２００からの上りリンクのスケジューリング情報（トランスポートフォーマットやＨＡＲＱ再送情報など）、および、上位層３０８から入力されたスケジューリング情報などに基づいて、上位層３０８から入力された上りリンクの論理チャネルをトランスポートチャネルにマッピングするためのスケジューリング処理を行なう。なお、上りリンクのトランスポートフォーマットについては、基地局装置２００から通知された情報を利用する。これらスケジューリング情報は、データ制御部３０１へ出力される。
【００７９】
また、スケジューリング部３０４は、上位層３０８から入力された上りリンクの論理チャネルをトランスポートチャネルにマッピングし、データ制御部３０１へ出力する。また、スケジューリング部３０４は、チャネル推定部３０５から入力された下りリンクのチャネルフィードバックレポートＣＦＲ（チャネル状態情報）や、データ抽出部３０７から入力されたＣＲＣ確認結果についても、データ制御部３０１へ出力する。また、スケジューリング部３０４は、データ抽出部３０７から入力された下りリンクで取得した制御データとトランスポートチャネルを、必要に応じて処理した後、下りリンクの論理チャネルにマッピングし、上位層３０８へ出力する。
【００８０】
チャネル推定部３０５は、下りリンクデータの復調のために、下りリンク参照信号（ＲＳ）から下りリンクのチャネル状態を推定し、その推定結果をＯＦＤＭ復調部３０６に出力する。また、チャネル推定部３０５は、基地局装置２００に下りリンクのチャネル状態（無線伝搬路状態）の推定結果を通知するために、下りリンク参照信号（ＲＳ）から下りリンクのチャネル状態を推定し、この推定結果を下りリンクのチャネル状態フィードバック情報（チャネル品質情報など）に変換して、スケジューリング部３０４に出力する。
【００８１】
ＯＦＤＭ復調部３０６は、チャネル推定部３０５から入力された下りリンクのチャネル状態推定結果に基づいて、無線部３０３から入力された変調データに対して、ＯＦＤＭ復調処理を施し、データ抽出部３０７に出力する。
【００８２】
データ抽出部３０７は、ＯＦＤＭ復調部３０６から入力されたデータに対して、ＣＲＣを行ない、正誤を確認するとともに、確認結果（ＡＣＫ／ＮＡＣＫフィードバック情報）をスケジューリング部３０４に出力する。また、データ抽出部３０７は、ＯＦＤＭ復調部３０６から入力されたデータからトランスポートチャネルと物理層の制御データに分離して、スケジューリング部３０４に出力する。分離された制御データには、下りリンクまたは上りリンクのリソース割り当てや上りリンクのＨＡＲＱ制御情報などのスケジューリング情報が含まれている。
【００８３】
上位層３０８は、無線リソース制御部３０９を有している。無線リソース制御部３０９は、各種設定情報の管理、システム情報の管理、自局の通信状態の管理、ハンドオーバーなどの管理を行なう。
【００８４】
（第１の実施形態）
次に、基地局装置および移動局装置を用いた移動通信システムにおける第１の実施形態を説明する。第１の実施の形態では、基地局装置は、移動局装置が、ＨＡＲＱにおける制御情報を送信するためのリソースを移動局装置へ割り当て、移動局装置は、割り当てられたリソースを使用して、複数の下りリンクコンポーネントキャリアにおいて送信されるＰＤＣＣＨおよび／またはＰＤＳＣＨに対するＨＡＲＱにおける制御情報とともに、上りリンクデータの送信を要求するスケジューリングリクエストを、基地局装置へ送信する。
【００８５】
また、基地局装置は、移動局装置が、スケジューリングリクエストを送信するためのリソースを移動局装置へ割り当て、さらに、移動局装置が、ＨＡＲＱにおける制御情報を送信するためのリソースを移動局装置へ割り当て、移動局装置は、ＨＡＲＱにおける制御情報を送信するためのリソースを使用して、複数の下りリンクコンポーネントキャリアにおいて送信されるＰＤＣＣＨおよび／またはＰＤＳＣＨに対するＨＡＲＱにおける制御情報とともに、上りリンクデータを送信するためのリソースを要求するスケジューリングリクエストを、基地局装置へ送信する。
【００８６】
この際、移動局装置は、ＨＡＲＱにおける制御情報とスケジューリングリクエストを組み合わせた１つのテーブルを参照する。すなわち、移動局装置は、ＨＡＲＱにおける制御情報とスケジューリングリクエストを組み合わせた１つのテーブルを参照し、参照したテーブルから、ＨＡＲＱにおける制御情報とスケジューリングリクエストに対応するビット系列を選択し、選択したビット系列を基地局装置へ送信する。
【００８７】
ここで、複数の下りリンクコンポーネントキャリアにおけるＰＤＣＣＨおよび／またはＰＤＳＣＨに対するＨＡＲＱにおける制御情報とスケジューリングリクエストに対応するビット系列を示すテーブルは、通信に使用される下りリンクコンポーネントキャリアの数によって異なっていても良い。すなわち、ＨＡＲＱにおける制御情報とスケジューリングリクエストに対応するビット系列を示すテーブルは、基地局装置によって設定された通信に使用する下りリンクコンポーネントキャリアの数に応じて異なっていても良い。また、スケジューリングリクエストをＰＵＳＣＨで送信する場合には、あらかじめ、移動局装置が基地局装置へスケジューリングリクエストを送信し、基地局装置からＰＵＳＣＨリソースが割り当てられているものとする。
【００８８】
以下、第１の実施形態では、周波数帯域は、帯域幅（Ｈｚ）で定義されているが、周波数と時間で構成されるリソースブロック（ＲＢ）の数で定義されても良い。本実施形態におけるコンポーネントキャリア（以下、「キャリアコンポーネント」、「要素キャリア」、「キャリア要素」とも呼称される）とは、基地局装置と移動局装置が、広帯域な周波数帯域（システム帯域でも良い）を使用して通信を行なう際に集約される（狭帯域な）周波数帯域を示している。基地局装置と移動局装置は、複数のコンポーネントキャリアを集約することによって広帯域な周波数帯域を構成し、これら複数のコンポーネントキャリアを複合的に使用することによって、高速なデータ通信（情報の送受信）を実現することができる(上述した周波数帯域集約）。例えば、基地局装置と移動局装置は、２０ＭＨｚの帯域幅を持った５つのコンポーネントキャリアを集約して、広帯域な１００ＭＨｚの帯域幅を持った周波数帯域を構成し、これら５つのコンポーネントキャリアを複合的に使用して通信を行うことができる。
【００８９】
コンポーネントキャリアとは、この広帯域な周波数帯域（例えば、１００ＭＨｚの帯域幅を持った周波数帯域）を構成する（狭帯域な）周波数帯域（例えば、２０ＭＨｚの帯域幅を持った周波数帯域）それぞれのことを示している。また、コンポーネントキャリアとは、この広帯域な周波数帯域を構成する（狭帯域な）周波数帯域それぞれの（中心）キャリア周波数のことを示している。すなわち、下りリンクコンポーネントキャリアは、基地局装置と移動局装置が、下りリンク信号を送受信する際に使用可能な周波数帯域の中の一部の帯域（幅）を有し、上りリンクコンポーネントキャリアは、基地局装置と移動局装置が、上りリンク信号を送受信する際に使用可能な周波数帯域の中の一部の帯域（幅）を有している。また、コンポーネントキャリアは、ある特定の物理チャネル（例えば、ＰＤＣＣＨ、ＰＤＳＣＨ、ＰＵＣＣＨ、ＰＵＳＣＨなど）が構成される単位として定義されてもよい。
【００９０】
ここで、コンポーネントキャリアは、連続な周波数帯域に配置されていても、不連続な周波数帯域に配置されていてもよく、連続および／または不連続な周波数帯域である複数のコンポーネントキャリアを集約することによって、広帯域な周波数帯域を構成することである。さらに、下りリンクコンポーネントキャリアによって構成される下りリンクの通信に使用される周波数帯域（下りリンクシステム帯域、下りリンクシステム帯域幅でも良い）と、上りリンクコンポーネントキャリアによって構成される上りリンクの通信に使用される周波数帯域（上りリンクシステム帯域、上りリンクシステム帯域幅でも良い）は、同じ帯域幅である必要はない。基地局装置と移動局装置は、下りリンクの通信に使用される周波数帯域と上りリンクの通信に使用される周波数帯域が、異なる帯域幅であったとしても、コンポーネントキャリアを複合的に使用して通信を行うことができる（上述した非対称周波数帯域集約）。
【００９１】
図４に、第１の実施形態が適用可能な移動通信システムの例を示す。図４は、１００ＭＨｚの帯域幅を持った下りリンクの通信に使用される周波数帯域が、それぞれ２０ＭＨｚの帯域幅を持った５つの下りリンクコンポーネントキャリア（ＤＣＣ１、ＤＣＣ２、ＤＣＣ３、ＤＣＣ４、ＤＣＣ５）によって構成され、１００ＭＨｚの帯域幅を持った上りリンクの通信に使用される周波数帯域が、それぞれ２０ＭＨｚの帯域幅を持った５つの上りリンクのコンポーネントキャリア（ＵＣＣ１、ＵＣＣ２、ＵＣＣ３、ＵＣＣ４、ＵＣＣ５）によって構成されていることを示している。図４において、下りリンク／上りリンクのコンポーネントキャリアのそれぞれには下りリンク／上りリンクのチャネルが配置される。ここで、図４において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのコンポーネントキャリアが存在してもよい。
【００９２】
図４において、基地局装置は、下りリンクコンポーネントキャリア内に配置されたＰＤＣＣＨを使用して、ＰＤＳＣＨを割り当てることができる。図４では、例として、基地局装置が、ＤＣＣ１に配置されたＰＤＣＣＨ（斜線で示されるＰＤＣＣＨ）を使用して、ＤＣＣ１に配置されるＰＤＳＣＨを割り当てていることを示している（ＤＣＣ１における斜線で示されるＰＤＣＣＨでＤＣＣ１に配置されるＰＤＳＣＨを割り当てている）。
【００９３】
また、図４において、基地局装置は、下りリンクコンポーネントキャリア内に配置されたＰＤＣＣＨに、コンポーネントキャリア指示（Ｃｏｍｐｏｎｅｔ  Ｃａｒｒｉｅｒ  Ｉｎｄｉｃａｔｏｒ）を表す情報を含めて移動局装置へ送信することによって、ＰＤＣＣＨが配置された下りリンクコンポーネントキャリアと同一の、または、異なる下りリンクコンポーネントキャリアに配置されたＰＤＳＣＨを割り当てることができる。図４では、基地局装置は、ＤＣＣ３における斜線で示されるＰＤＣＣＨにＤＣＣ４のＰＤＳＣＨを割り当てていることを示すコンポーネントキャリア指示を表す情報を含めて、移動局装置へ送信していることを示している。ここで、基地局装置は、ＤＣＣ１における斜線で示されるＰＤＣＣＨにＤＣＣ１のＰＤＳＣＨを割り当てていることを示すコンポーネントキャリア指示を表す情報を含めて、移動局装置へ送信しても良い。また、基地局装置は、ＤＣＣ３における斜線で示されるＰＤＣＣＨにＤＣＣ３のＰＤＳＣＨを割り当てていることを示すコンポーネントキャリア指示を表す情報を含めて、移動局装置へ送信しても良い。
【００９４】
また、図４において、基地局装置は、下りリンクコンポーネントキャリア内に配置された複数のＰＤＣＣＨを使用して、同一サブフレームで、複数のＰＤＳＣＨを割り当てることができる。図４では、例として、基地局装置が、ＤＣＣ１、ＤＣＣ３に配置された３つのＰＤＣＣＨ（それぞれ斜線、格子線、網線で示されるＰＤＣＣＨ）を使用して、ＤＣＣ１、ＤＣＣ３、ＤＣＣ４に配置されるＰＤＳＣＨを割り当てていることを示している（ＤＣＣ１における斜線で示されるＰＤＣＣＨでＤＣＣ１に配置されるＰＤＳＣＨを、ＤＣＣ３における格子線で示されるＰＤＣＣＨでＤＣＣ３に配置されるＰＤＳＣＨを、ＤＣＣ３における格子線で示されるＰＤＣＣＨでＤＣＣ４に配置されるＰＤＳＣＨを割り当てている）。基地局装置は、ＤＣＣ１、ＤＣＣ３、ＤＣＣ４に配置されたＰＤＳＣＨを使用して、（最大３つまでの）下りリンクトランスポートブロックを、同一サブフレームで移動局装置へ送信することができる。
【００９５】
また、図４において、移動局装置は、上りリンクのコンポーネントキャリアそれぞれのＰＵＳＣＨを使用して、同一サブフレームで、複数の上りリンクトランスポートブロックを基地局装置へ送信する。例えば、移動局装置は、ＵＣＣ１、ＵＣＣ２、ＵＣＣ３、ＵＣＣ４、ＵＣＣ５の５つのＰＵＳＣＨを使用して、（最大５つまでの）上りリンクトランスポートブロックを、同一サブフレームで基地局装置へ送信する。
【００９６】
さらに、図４において、移動局装置は、基地局装置から送信される（複数の）ＰＤＣＣＨおよび／または（複数の）下りリンクトランスポートブロックに対するＨＡＲＱにおける制御情報を、基地局装置へ送信する。例えば、移動局装置は、基地局装置から同一サブフレームで送信される５つのＰＤＣＣＨおよび／または５つの下りリンクトランスポートブロックに対するＨＡＲＱにおける制御情報を、基地局装置へ送信する。
【００９７】
ここで、図４において、基地局装置は、移動局装置がＨＡＲＱにおける制御情報を送信するためのＰＵＣＣＨリソースを移動局装置へ割り当てる。例えば、基地局装置は、移動局装置がＨＡＲＱにおける制御情報を送信するためのＰＵＣＣＨリソースを、ＲＲＣシグナリングを使用して、移動局装置へ割り当てることができる。
【００９８】
また、例えば、基地局装置は、移動局装置がＨＡＲＱにおける制御情報を送信するためのＰＵＣＣＨリソースを、下りリンクコンポーネントキャリアにおいて送信されるＰＤＳＣＨ毎に割り当てることができる。すなわち、基地局装置は、移動局装置がＨＡＲＱにおける制御情報を送信するためのＰＵＣＣＨリソースを、下りリンクコンポーネントキャリアにおいて送信されるＰＤＳＣＨを割り当てるＰＤＣＣＨに関連付けて（例えば、ＰＤＣＣＨのＰＤＣＣＨリソース領域における位置に関連付けて）、割り当てることができる。
【００９９】
さらに、基地局装置は、移動局装置に対して複数のＰＵＣＣＨリソースを設定し、複数のＰＵＣＣＨリソースの中から１つのＰＵＣＣＨリソースを指示することによって、移動局装置がＨＡＲＱにおける制御情報を送信するためのＰＵＣＣＨリソースを移動局装置へ割り当てることができる。例えば、基地局装置は、ＲＲＣシグナリングを使用して複数のＰＵＣＣＨリソースを設定し、さらに、複数のＰＵＣＣＨリソースの中から１つのＰＵＣＣＨリソースを指示する情報をＰＤＣＣＨに含めて移動局装置へ送信することによって、移動局装置がＨＡＲＱにおける制御情報を送信するためのＰＵＣＣＨリソースを移動局装置へ割り当てることができる。
【０１００】
例えば、基地局装置は、ＲＲＣシグナリングを使用して４つのＰＵＣＣＨリソースを設定し、さらに、４つのＰＵＣＣＨリソースの中から１つのＰＵＣＣＨリソースを指示する情報をＰＤＣＣＨに含めて移動局装置へ送信することによって、１つのＰＵＣＣＨリソースを移動局装置に対して割り当てることができる（指示することができる）。基地局装置がＨＡＲＱにおける制御情報を送信するためのＰＵＣＣＨリソースを、このように割り当てることによって、移動局装置に対して、柔軟にＰＵＣＣＨリソースを指示することができる。
【０１０１】
さらに、図４において、基地局装置は、移動局装置がスケジューリングリクエストを送信するためのＰＵＣＣＨリソースを、ＲＲＣシグナリングを使用して移動局装置に対して割り当てることができる。例えば、基地局装置は、移動局装置がスケジューリングリクエストを送信するためのＰＵＣＣＨリソースを、周期的に、移動局装置に対して割り当てることができる。ここで、移動局装置は、基地局装置によって割り当てられたＨＡＲＱの制御情報を送信するためのＰＵＣＣＨリソースを使用してＳＲを送信するため、ＲＲＣシグナリングを使用して周期的に割り当てられるＰＵＣＣＨリソースを低減することができ、無線リソースを効率的に利用することもできる。
【０１０２】
図４において、移動局装置は、基地局装置によって割り当てられたＰＵＣＣＨリソースを使用して、ＨＡＲＱにおける制御情報を送信する。すなわち、移動局装置は、複数の下りリンクコンポーネントキャリアにおいて送信されたＰＤＣＣＨおよび／またはＰＤＳＣＨ（下りリンクトランスポートブロックでも良い）に対するＨＡＲＱにおける制御情報を、基地局装置によって割り当てられたＰＵＣＣＨを使用して送信する。
【０１０３】
また、図４において、移動局装置は、基地局装置へスケジューリングリクエストを送信する必要がある場合、ＨＡＲＱにおける制御情報とともにスケジューリングリクエストを基地局装置へ送信することができる。すなわち、移動局装置は、基地局装置によってＨＡＲＱにおける制御情報を送信するために割り当てられたＰＵＣＣＨリソースを使用して、ＨＡＲＱにおける制御情報とスケジューリングリクエストをともに送信することができる。
【０１０４】
すなわち、移動局装置は、複数の下りリンクコンポーネントキャリアにおいて送信されたＰＤＣＣＨおよび／またはＰＤＳＣＨに対するＨＡＲＱにおける制御情報と、複数の上りリンクコンポーネントキャリアにおいて上りリンクデータを送信するためのリソースを要求するスケジューリングリクエストを、基地局装置へ送信することができる。この際、移動局装置は、基地局装置によってＨＡＲＱにおける制御情報を送信するために割り当てられたＰＵＣＣＨリソースを使用して、ＨＡＲＱにおける制御情報とともにスケジューリングリクエストを送信する。
【０１０５】
図５は、移動局装置が、基地局装置へＨＡＲＱにおける制御情報とともにスケジューリングリクエストを送信する際のシーケンスチャートを示す図である。まず、基地局装置は、移動局装置がＨＡＲＱにおける制御情報を送信するためのリソースを移動局装置へ割り当てる（５０１）。ここで、基地局装置は、移動局装置がスケジューリングリクエストを送信するためのリソースを移動局装置へ割り当てても良い。例えば、基地局装置は、移動局装置がＨＡＲＱにおける制御情報を送信するためのＰＵＣＣＨリソースを、ＲＲＣシグナリングを使用して移動局装置へ割り当てる。また、例えば、基地局装置は、移動局装置がスケジューリングリクエストを送信するためのＰＵＣＣＨリソースを、ＲＲＣシグナリングを使用して移動局装置へ割り当てる。この際、基地局装置は、移動局装置へ送信するＰＤＣＣＨのＰＤＣＣＨリソース領域における位置に応じて、動的に、ＰＵＣＣＨリソースを割り当てても良い。また、基地局装置は、ＲＲＣシグナリングを使用して複数のＰＵＣＣＨリソースを移動局装置に対して設定し、複数のＰＵＣＣＨリソースの中から１つのＰＵＣＣＨリソースを指示する情報をＰＤＣＣＨに含めて移動局装置へ送信することによって、移動局装置へＰＵＣＣＨリソースを割り当てても良い。
また、図５では、基地局装置は、移動局装置がＨＡＲＱにおける制御情報を送信するためのリソースとしてＰＵＣＣＨリソースを割り当てることを記載するが、基地局装置は、移動局装置がＨＡＲＱにおける制御情報を送信するためのリソースとしてＰＵＳＣＨリソースを割り当てても良い。
【０１０６】
続いて、基地局装置は、ＰＤＳＣＨを使用して、移動局装置へ下りリンクトランスポートブロックを送信する（５０２）。例えば、基地局装置は、複数の下りリンクコンポーネントキャリアにおけるＰＤＳＣＨを使用して、同一サブフレームで、複数の下りリンクトランスポートブロックを移動局装置へ送信する。基地局装置は、複数のＰＤＣＣＨを使用して、同一サブフレームで、複数のＰＤＳＣＨを移動局装置へ割り当てることができる。
【０１０７】
また、基地局装置は、移動局装置に対して、通信に使用する下りリンクコンポーネントキャリア（の数）を設定することができる。図５では、例として、基地局装置が、移動局装置に対して２つの下りリンクコンポーネントキャリアを使用して通信を行うことを設定していることを想定している。すなわち、例として、基地局装置が、２つの下りリンクコンポーネントキャリアそれぞれにおけるＰＤＳＣＨを使用して（すなわち、２つのＰＤＳＣＨを使用して）、同一サブフレームで、２つの下りリンクトランスポートブロックを移動局装置へ送信することを想定している。
【０１０８】
ここで、基地局装置によって設定される通信に使用する下りリンクコンポーネントキャリアとは、基地局装置によって活性化される下りリンクコンポーネントキャリアが含まれる。すなわち、基地局装置は、移動局装置に対して、通信に使用する下りリンクリンクコンポーネントキャリアを設定し、さらに、基地局装置によってスケジュールされる可能性のある下りリンクコンポーネントキャリアを活性化することができる。例えば、基地局装置は、ＲＲＣシグナリングを使用して、通信に使用する下りリンクコンポーネントキャリアを設定することができる。また、例えば、基地局装置は、ＭＡＣシグナリングを使用して、基地局装置によってスケジュールされる可能性のある下りリンクコンポーネントキャリアを活性化することができる。以降の説明では、簡単のために、基地局装置が通信に使用する下りリンクコンポーネントキャリアを設定する、と記載するが、この下りリンクコンポーネントキャリアには、基地局装置が、例えば、ＲＲＣシグナリングによって設定する下りリンクコンポーネントキャリアが含まれる。また、この下りリンクコンポーネントキャリアには、基地局装置が、例えば、ＭＡＣシグナリングによって活性化する下りリンクコンポーネントキャリアが含まれる。
【０１０９】
次に、移動局装置は、基地局装置からのＰＤＣＣＨおよび／またはＰＤＳＣＨ（下りリンクトランスポートブロックでも良い）の送信に対するＨＡＲＱの制御情報およびスケジューリングリクエストを、基地局装置によって割り当てられたリソースへ配置する（ここでは、ＰＵＣＣＨリソースへ配置する）（５０３）。ここで、移動局装置が、ＨＡＲＱにおける制御情報およびスケジューリングリクエストを配置するＰＵＣＣＨリソースは、基地局装置が、移動局装置に対してＨＡＲＱにおける制御情報を送信するために割り当てたＰＵＣＣＨリソースである。この際、移動局装置は、ＰＤＳＣＨ（下りリンクトランスポートブロックでも良い）の受信状態に基づき、ＨＡＲＱにおける制御情報を生成し、ＨＡＲＱにおける制御情報をＰＵＣＣＨへ配置する。
【０１１０】
移動局装置は、基地局装置によって割り当てられたＰＵＣＣＨリソースを使用して、ＨＡＲＱにおける制御情報とスケジューリングリクエストを送信する（５０４）。このとき、移動局装置から基地局装置へ送信されるＨＡＲＱにおける制御情報には、誤り訂正符号が付加されても良い。基地局装置は、移動局装置から送信されたＨＡＲＱにおける制御情報とスケジューリングリクエストを受信し、それらの情報を抽出する（５０５）。この際、移動局装置から基地局装置へ送信されるＨＡＲＱにおける制御情報に誤り訂正符号が付与されている場合には、基地局装置は、その符号化方式に応じて、復号を行う。基地局装置は、抽出した情報（ＨＡＲＱにおける制御情報）に基づいて、移動局装置へ下りリンクトランスポートブロックを再送する。また、基地局装置は、抽出した情報（スケジューリングリクエスト）に基づいて、移動局装置へ上りリンクデータを送信するためのリソースを割り当てる。この際、基地局装置は、複数の上りリンクコンポーネントキャリアにおける上りリンクリソース（例えば、複数の上りリンクコンポーネントキャリアにおける複数のＰＵＳＣＨリソース）を、移動局装置へ割り当てることができる。
【０１１１】
すなわち、移動局装置は、基地局装置によってＨＡＲＱにおける制御情報を送信するために割り当てられたＰＵＣＣＨリソースを使用して、複数の下りリンクコンポーネントキャリアにおいて送信されるＰＤＣＣＨおよび／またはＰＤＳＣＨに対するＨＡＲＱにおける制御情報を送信する。
【０１１２】
また、この際に、スケジューリングリクエストを送信する必要がある場合には、移動局装置は、複数の下りリンクコンポーネントキャリアにおいて送信されるＰＤＣＣＨおよび／またはＰＤＳＣＨに対するＨＡＲＱにおける制御情報と、複数の上りリンクコンポーネントキャリアにおいて上りリンクデータを送信するためのリソースを要求するスケジューリング要求を送信する。
【０１１３】
すなわち、移動局装置は、基地局装置によってスケジューリングリクエストを送信するために周期的に割り当てられたタイミング（サブフレーム）において、ＨＡＲＱにおける制御情報を送信する必要がある場合でも、ＨＡＲＱにおける制御情報とスケジューリングリクエストをともに送信することができる。移動局装置は、スケジューリングリクエストの送信とＨＡＲＱにおける制御情報の送信が、同一サブフレーム（同じタイミング）で発生した場合には、ＨＡＲＱにおける制御情報とスケジューリングリクエストをともに基地局装置へ送信する。ここで、移動局装置は、基地局装置によってＨＡＲＱにおける制御情報を送信するために割り当てられたＰＵＣＣＨリソースを使用して、ＨＡＲＱにおける制御情報とスケジューリングリクエストをともに基地局装置へ送信することができる。
【０１１４】
例えば、移動局装置は、ＨＡＲＱにおける制御情報とスケジューリングリクエスト（を示す情報）を組み合わせた（結合させた、同時に含めた、１つにまとめた、とも言える）テーブルを参照して、ＨＡＲＱにおける制御情報とスケジューリングリクエストをともに基地局装置へ送信する。例えば、移動局装置は、ＨＡＲＱにおける制御情報とスケジューリングリクエストを組み合わせた１つのテーブルを参照し、参照したテーブルから、ＨＡＲＱにおける制御情報とスケジューリングリクエスト（を示す情報）に対応するビット系列を選択し、選択したビット系列を基地局装置へ送信する。すなわち、移動局装置は、ＨＡＲＱにおける制御情報とスケジューリングリクエストに対応する１つのビット系列を基地局装置に送信することによって、ＨＡＲＱにおける制御情報とスケジューリングリクエストをともに基地局装置へ送信することができる。
【０１１５】
図６は、ＨＡＲＱにおける制御情報とスケジューリングリクエスト（を示す情報）を組み合わせたテーブルの例である。図６に示すテーブルは、例として、ＨＡＲＱにおける制御情報とスケジューリングリクエスト（を示す情報）が、６ビットのビットフィールドによって表されている（構成されている）。すなわち、図６に示すテーブルは、例として、ＨＡＲＱにおける制御情報に対するビットフィールド（ＨＡＲＱにおける制御情報を示すビットフィールド）が先頭から５ビットのフィールドで、スケジューリングリクエスト（を示す情報）に対するビットフィールドが最後の１ビットのフィールドで表されている。すなわち、図６に示すテーブルでは、ＨＡＲＱにおける制御情報に対するビットフィールドとスケジューリングリクエストのビットフィールドが別々に準備され、それぞれのビットフィールドにおいて、ＨＡＲＱにおける制御情報、および、スケジューリングリクエストが配置される。
【０１１６】
ここで、図６に示すテーブルは、例として、基地局装置が、移動局装置に対して３つの下りリンクコンポーネントキャリアを使用して通信することを設定した際のテーブルを示している。すなわち、図６に示すテーブルは、下りリンクコンポーネントキャリアの数が３の場合（ＤＬＣＣ数３）における、ＨＡＲＱにおける制御情報とスケジューリングリクエストの組み合わせを、ビット系列として表したテーブルである。ここで、図６に示すテーブルは、例として、基地局装置と移動局装置が、３つの下りリンクコンポーネントキャリアを使用して通信を行う際に利用するテーブルを示しているが、基地局装置と移動局装置が、異なる数（３つ以外の）の下りリンクコンポーネントキャリア（例えば、４つの下りリンクコンポーネントキャリア）を使用して通信を行う際には、異なるテーブルが利用されても良い。
【０１１７】
図６に示すテーブルでは、先頭から５ビットが、ＨＡＲＱにおける制御情報に対するビットフィールドを示しており、最後の１ビットが、スケジューリングリクエスト（ＳＲ）に対するビットフィールドを示している。すなわち、例えば、ビット系列“００１１１０”のうち、先頭から５ビットのビットフィールド“００１１１”が、ＨＡＲＱにおける制御情報を示しており、最後の１ビットの“０”は、スケジューリングリクエストを示す情報（ＳＲなし）を示している。また、例えば、ビット系列“１１１１１１”のうち、先頭から５ビットのビットフィールド“１１１１１”が、ＨＡＲＱにおける制御情報を示しており、最後の１ビットのビットフィールド“１”が、スケジューリングリクエストを示す情報（ＳＲあり）を示している。ここで、ＳＲなし、とは、移動局装置が上りリンクデータを送信するためのリソースの割り当てを基地局装置へ要求していないことを示している。また、ＳＲあり、とは、移動局装置が上りリンクデータを送信するためのリソースの割り当てを基地局装置へ要求していることを示している。すなわち、移動局装置は、上りリンクデータを送信するためのリソースの割り当てを要求していないこと（要求してない状態）、リソースの割り当てを要求していること（要求している状態）の両方の状態を、基地局装置へ通知することができる。
【０１１８】
また、図６のテーブルにおける、例えば、Ａ／Ｎ／Ａは、それぞれの下りリンクコンポーネントキャリアにおけるＰＤＳＣＨ（下りリンクトランスポートブロックでも良い）に対するＨＡＲＱにおける制御情報を示している。ここで、ＡはＡＣＫを、ＮはＮＡＣＫを、ＤはＤＴＸを示している。例えば、図６のテーブルにおけるＡ／Ｎ／Ａは、ある下りリンクコンポーネントキャリア（例えば、ＤＣＣ１）におけるＰＤＳＣＨに対するＡＣＫ、ある下りリンクコンポーネントキャリア（例えば、ＤＣＣ２）におけるＰＤＳＣＨに対するＮＡＣＫ、ある下りリンクコンポーネントキャリア（例えば、ＤＣＣ３）におけるＰＤＳＣＨに対するＡＣＫを示している。
【０１１９】
上述したように、移動局装置は、ＨＡＲＱにおける制御情報とスケジューリングリクエストをともに基地局装置へ送信する際に、図６に示すようなテーブルを参照し、参照したテーブルから、ＨＡＲＱにおける制御情報とスケジューリングリクエスト（を示す情報）に対応するビット系列を選択し、選択したビット系列を基地局装置へ送信する。
【０１２０】
例えば、基地局装置によって、３つの下りリンクコンポーネントキャリア（例えば、ＤＣＣ１、ＤＣＣ２、ＤＣＣ３）において送信されたＰＤＳＣＨ（下りリンクトランスポートブロックでも良い）に対するＨＡＲＱにおける制御情報が、Ａ／Ｎ／Ｎ（例えば、ＤＣＣ１において送信されたＰＤＳＣＨに対するＨＡＲＱにおける制御情報がＡＣＫ、ＤＣＣ２において送信されたＰＤＳＣＨに対するＨＡＲＱにおける制御情報がＮＡＣＫ、ＤＣＣ３において送信されたＰＤＳＣＨに対するＨＡＲＱにおける制御情報がＮＡＣＫ）であり、さらに、ＳＲありの場合、移動局装置は、ビット系列“１００１０１”を基地局装置へ送信する。
【０１２１】
ここで、図６に示すようなＨＡＲＱにおける制御情報とスケジューリングリクエストを組み合わせたテーブルは、仕様等によって事前に定義される。また、図６に示すようなテーブルは、基地局装置によって、例えば、ＲＲＣシグナリングを使用して、移動局装置に対して設定されても良い。基地局装置と移動局装置は、図６に示すようなテーブルを、事前に共有しておくことができる。
【０１２２】
同様に、図７は、ＨＡＲＱにおける制御情報とスケジューリングリクエスト（を示す情報）を組み合わせたテーブルの例である。図６で示したテーブルと同様に、図７に示すテーブルには、ＨＡＲＱの制御情報（ＡＣＫ、ＮＡＣＫ、ＤＴＸ）とスケジューリングリクエスト（を示す情報）が同時に含められており、１つのビット系列（ここでは、８ビットのビット系列）として表されている。すなわち、１つのビット系列（ここでは、８ビットのビット系列）によって、ＨＡＲＱの制御情報とスケジューリングリクエスト（を示す情報）が示されている。ここで、図７におけるＤＬＣＣ数２は、基地局装置が、移動局装置に対して２つの下りリンクコンポーネントキャリアを使用して通信を行うことを示している。また、図７におけるＤＬＣＣ数３は、基地局装置が、移動局装置に対して３つの下りリンクコンポーネントキャリアを使用して通信を行うことを示している。
【０１２３】
図７は、基地局装置によって設定された通信に使用される下りリンクコンポーネントキャリア数が２と３（の一部）の際の、ＨＡＲＱにおける制御情報とスケジューリングリクエストの組み合わせを示すビット系列を示している。ここで、ＨＡＲＱにおける制御情報を示すビット長（コードワードとも呼称される）は、下りリンクコンポーネントキャリアの数に関わらず、同じ（８ビットのビット長）である。
【０１２４】
図７において、例えば、下りリンクコンポーネントキャリア数が２におけるＡ／Ｎは、それぞれのコンポーネントキャリアにおけるＰＤＳＣＨ（下りリンクトランスポートブロックでも良い）に対するＨＡＲＱの制御情報を示しており、ある下りリンクコンポーネントキャリア（例えば、ＤＣＣ１）におけるＰＤＳＣＨに対するＡＣＫ、ある下りリンクコンポーネントキャリア（例えば、ＤＣＣ２）におけるＰＤＳＣＨに対するＮＡＣＫを示している。
【０１２５】
また、図７において、例えば、下りリンクコンポーネントキャリア数が３におけるＡ／Ｎ／Ｄは、それぞれのコンポーネントキャリアにおけるＰＤＳＣＨ（下りリンクトランスポートブロックでも良い）に対するＨＡＲＱの制御情報を示しており、ある下りリンクコンポーネントキャリア（例えば、ＤＣＣ１）におけるＰＤＳＣＨに対するＡＣＫ、ある下りリンクコンポーネントキャリア（例えば、ＤＣＣ２）におけるＰＤＳＣＨに対するＮＡＣＫ、ある下りリンクコンポーネントキャリア（例えば、ＤＣＣ３）におけるＰＤＳＣＨに対するＤＴＸを示している。
【０１２６】
図７では、下りリンクコンポーネントキャリアの数が２の場合、それぞれのＨＡＲＱの制御情報の状態（Ａ／Ａ〜Ｄ／Ｄまでの状態）において、ＳＲなしとＳＲありを割り当てている。また、下りリンクコンポーネントキャリアの数が３の場合には、ビット系列“１０１０１１１１”からビット系列“１１０００１０１”を、それぞれＡ／Ａ／ＤからＮ／Ａ／Ｎに割り当てている。ここで、このビット系列は、下りリンクコンポーネントキャリアの数が２の場合における“Ａ／Ａ、ＳＲあり”から“Ｄ／Ｄ、ＳＲあり”までと、同じビット系列である。また、図７において、下りリンクコンポーネントキャリア数が３の場合において、ビット系列“１１０１００００”からビット系列“１００１１１１０”までを、ＨＡＲＱにおける制御情報および／またはＳＲの有無を示すために使用していないが、ＨＡＲＱの制御情報および／またはＳＲの有無を示すために使用することもできる。
【０１２７】
このように、基地局装置によって設定された下りリンクコンポーネントキャリアの数において、利用されないビット系列をＨＡＲＱの制御情報とともにスケジューリングリクエストとして示すことにより、送信ビット数を増やすことなく、移動局装置によって送信される情報量を増やすことが可能となる。さらに、基地局装置は、設定した（活性化した）下りリンクコンポーネントキャリアの数に応じて、ＨＡＲＱにおける制御情報の状態およびスケジューリングリクエストの有無を判断することが可能となる。
【０１２８】
上記までに説明したように、基地局装置と移動局装置が、ＨＡＲＱにおける制御情報とスケジューリングリクエストに対応したビット系列を送受信することによって、基地局装置と移動局装置が、複数のコンポーネントキャリアによって構成される広帯域な周波数帯域を使用して通信を行う際においても、ＨＡＲＱにおける制御情報とともに、他の送信すべき制御情報を効率的に送信することが可能となる。また、基地局装置と移動局装置において、効率的にこれらの制御情報をやりとりすることにより、通信に利用するリソースをさらに確保することを考慮した移動通信システムおよび移動通信方法を提供することが可能となる。
【０１２９】
また、上述した実施形態における基地局装置および移動局装置の一部、または全部を典型的には集積回路であるＬＳＩ（Ｌａｒｇｅ  Ｓｃａｌｅ  Ｉｎｔｅｇｒａｔｉｏｎ）として実施してもよい。基地局装置および移動局装置の各機能ブロックは個別にチップ化してもよいし、一部、または全部を集積してチップ化してもよい。また、集積回路化の手法はＬＳＩに限らず、専用回路、または汎用プロセッサで実現してもよい。また、半導体技術の進歩によりＬＳＩに代替する集積回路化の技術が出現した場合、当該技術による集積回路を用いることも可能である。
【０１３０】
（１）上述したように、本発明の移動通信システムは、基地局装置と移動局装置が、複数のコンポーネントキャリアを使用して通信を行う移動通信システムにおいて、基地局装置は、移動局装置が、ＨＡＲＱにおける制御情報を送信するためのリソースを移動局装置へ割り当て、移動局装置は、割り当てられたリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータの送信を要求するスケジューリングリクエストを、基地局装置へ送信することを特徴としている。
【０１３１】
（２）また、基地局装置と移動局装置が、複数のコンポーネントキャリアを使用して通信を行う移動通信システムにおいて、基地局装置は、移動局装置が、スケジューリングリクエストを送信するためのリソースを移動局装置へ割り当て、移動局装置が、ＨＡＲＱにおける制御情報を送信するためのリソースを移動局装置へ割り当て、移動局装置は、ＨＡＲＱにおける制御情報を送信するためのリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータを送信するためのリソースを要求するスケジューリングリクエストを、基地局装置へ送信することを特徴としている。
【０１３２】
（３）また、移動局装置は、ＨＡＲＱにおける制御情報とスケジューリングリクエストを組み合わせた１つのテーブルを参照することを特徴としている。
【０１３３】
（４）また、移動局装置は、ＨＡＲＱにおける制御情報とスケジューリングリクエストを組み合わせた１つのテーブルを参照し、参照したテーブルからＨＡＲＱにおける制御情報とスケジューリングリクエストに対応するビット系列を選択し、選択したビット系列を基地局装置へ送信することを特徴としている。
【０１３４】
（５）また、基地局装置と移動局装置が、複数のコンポーネントキャリアを使用して通信を行う移動通信システムにおける基地局装置であって、移動局装置が、ＨＡＲＱにおける制御情報を送信するためのリソースを移動局装置へ割り当てる手段と、割り当てたリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータの送信を要求するスケジューリングリクエストを、移動局装置から受信する手段と、を備えることを特徴としている。
【０１３５】
（６）また、基地局装置と移動局装置が、複数のコンポーネントキャリアを使用して通信を行う移動通信システムにおける基地局装置であって、移動局装置が、スケジューリングリクエストを送信するためのリソースを移動局装置へ割り当てる手段と、移動局装置が、ＨＡＲＱにおける制御情報を送信するためのリソースを移動局装置へ割り当てる手段と、ＨＡＲＱにおける制御情報を送信するためのリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータを送信するためのリソースを要求するスケジューリングリクエストを、移動局装置から受信する手段と、を備えることを特徴としている。
【０１３６】
（７）また、基地局装置と移動局装置が、複数のコンポーネントキャリアを使用して通信を行う移動通信システムおける移動局装置であって、ＨＡＲＱにおける制御情報を送信するためのリソースを基地局装置によって割り当てられる手段と、割り当てられたリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータの送信を要求するスケジューリングリクエストを、基地局装置へ送信する手段と、を備えることを特徴としている。
【０１３７】
（８）また、基地局装置と移動局装置が、複数のコンポーネントキャリアを使用して通信を行う移動通信システムにおける移動局装置であって、スケジューリングリクエストを送信するためのリソースを基地局装置によって割り当てられる手段と、ＨＡＲＱにおける制御情報を送信するためのリソースを基地局装置によって割り当てられる手段と、ＨＡＲＱにおける制御情報を送信するためのリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータを送信するためのリソースを要求するスケジューリングリクエストを、基地局装置へ送信する手段と、を備えることを特徴としている。
【０１３８】
（９）また、ＨＡＲＱにおける制御情報とともにスケジューリングリクエストを基地局装置へ送信する手段は、ＨＡＲＱにおける制御情報とスケジューリングリクエストを組み合わせた１つのテーブルを参照することを特徴としている。
【０１３９】
（１０）また、ＨＡＲＱにおける制御情報とともにスケジューリングリクエストを基地局装置へ送信する手段は、ＨＡＲＱにおける制御情報とスケジューリングリクエストを組み合わせた１つのテーブルを参照し、参照したテーブルからＨＡＲＱにおける制御情報とスケジューリングリクエストに対応するビット系列を選択し、選択したビット系列を基地局装置へ送信することを特徴としている。
【０１４０】
（１１）また、基地局装置と移動局装置が、複数のコンポーネントキャリアを使用して通信を行う移動通信システムにおける基地局装置の通信方法であって、移動局装置が、ＨＡＲＱにおける制御情報を送信するためのリソースを移動局装置へ割り当て、割り当てたリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータの送信を要求するスケジューリングリクエストを、移動局装置から受信することを特徴としている。
【０１４１】
（１２）また、基地局装置と移動局装置が、複数のコンポーネントキャリアを使用して通信を行う移動通信システムにおける基地局装置の通信方法であって、移動局装置が、スケジューリングリクエストを送信するためのリソースを移動局装置へ割り当て、移動局装置が、ＨＡＲＱにおける制御情報を送信するためのリソースを移動局装置へ割り当て、ＨＡＲＱにおける制御情報を送信するためのリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータを送信するためのリソースを要求するスケジューリングリクエストを、移動局装置から受信することを特徴としている。
【０１４２】
（１３）また、基地局装置と移動局装置が、複数のコンポーネントキャリアを使用して通信を行う移動通信システムおける移動局装置の通信方法であって、ＨＡＲＱにおける制御情報を送信するためのリソースを基地局装置によって割り当てられ、割り当てられたリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータの送信を要求するスケジューリングリクエストを、基地局装置へ送信することを特徴としている。
【０１４３】
（１４）また、基地局装置と移動局装置が、複数のコンポーネントキャリアを使用して通信を行う移動通信システムにおける移動局装置の通信方法であって、スケジューリングリクエストを送信するためのリソースを基地局装置によって割り当てられ、ＨＡＲＱにおける制御情報を送信するためのリソースを基地局装置によって割り当てられ、ＨＡＲＱにおける制御情報を送信するためのリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータを送信するためのリソースを要求するスケジューリングリクエストを、基地局装置へ送信することを特徴としている。
【０１４４】
（１５）また、移動局装置は、ＨＡＲＱにおける制御情報とスケジューリングリクエストを組み合わせた１つのテーブルを参照することを特徴としている。
【０１４５】
（１６）また、移動局装置は、ＨＡＲＱにおける制御情報とスケジューリングリクエストを組み合わせた１つのテーブルを参照し、参照したテーブルからＨＡＲＱにおける制御情報とスケジューリングリクエストに対応するビット系列を選択し、選択したビット系列を基地局装置へ送信することを特徴としている。
【０１４６】
（１７）また、基地局装置に実装されることにより、基地局装置に複数の機能を発揮させる集積回路であって、移動局装置が、ＨＡＲＱにおける制御情報を送信するためのリソースを移動局装置へ割り当てる機能と、割り当てたリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータの送信を要求するスケジューリングリクエストを、移動局装置から受信する機能と、を基地局装置に発揮させることを特徴としている。
【０１４７】
（１８）また、移動局装置に実装されることにより、移動局装置に複数の機能を発揮させる集積回路であって、ＨＡＲＱにおける制御情報を送信するためのリソースを基地局装置によって割り当てられる機能と、割り当てられたリソースを使用して、複数の下りリンクコンポーネントキャリアにおいて送信される物理下りリンク制御チャネルおよび／または物理下りリンク共用チャネルに対するＨＡＲＱにおける制御情報とともに、上りリンクデータの送信を要求するスケジューリングリクエストを、基地局装置へ送信する機能と、を移動局装置に発揮させることを特徴としている。
【符号の説明】
【０１４８】
２００…基地局装置、２０１…データ制御部、２０２…ＯＦＤＭ変調部、２０３…無線部、２０４…スケジューリング部、２０５…チャネル推定部、２０６…ＤＦＴ−Ｓ−ＯＦＤＭ復調部、２０７…データ抽出部、２０８…上位層、２０９…無線リソース制御部、３００…移動局装置、３０１…データ制御部、３０２…ＤＦＴ−Ｓ−ＯＦＤＭ変調部、３０３…無線部、３０４…スケジューリング部、３０５…チャネル推定部、３０６…ＯＦＤＭ復調部、３０７…データ抽出部、３０８…上位層、３０９…無線リソース制御部。
【図１】
2011122265.tif 000003
【図２】
2011122265.tif 000004
【図３】
2011122265.tif 000005
【図４】
2011122265.tif 000006
【図５】
2011122265.tif 000007
【図６】
2011122265.tif 000008
【図７】
2011122265.tif 000009
【図８】
2011122265.tif 000010
【図９】
2011122265.tif 000011
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
集約された複数のコンポーネントキャリアを使用して基地局装置と移動局装置が通信する移動通信システムであって、
前記基地局装置は、
複数の物理上りリンク制御チャネルリソースを設定するための情報を、無線資源制御信号を使用して前記移動局装置へ送信し、
前記複数の物理上りリンク制御チャネルリソースの中から１つの物理上りリンク制御チャネルリソースを指示する情報を、物理下りリンク制御チャネルを使用して前記移動局装置へ送信し、
前記移動局装置は、
ＨＡＲＱにおける制御情報とスケジューリングリクエストとを、前記物理下りリンク制御チャネルによって指示された前記物理上りリンク制御チャネルリソースを使用して、前記基地局装置へ送信する
ことを特徴とする移動通信システム。
【請求項２】
前記ＨＡＲＱにおける制御情報は、前記基地局装置によって、あるサブフレームで前記コンポーネントキャリアにおいて送信される下りリンクトランスポートブロックに対するＡＣＫ／ＮＡＣＫを示す情報を含む
ことを特徴とする請求項１に記載の移動通信システム。
【請求項３】
移動局装置が、あるサブフレームで基地局装置によって送信される１つまたは複数の下りリンクトランスポートブロックに対するＨＡＲＱにおける制御情報を、前記基地局装置へ送信する移動通信システムであって、
前記基地局装置は、
複数の物理上りリンク制御チャネルリソースを設定するための情報を、無線資源制御信号を使用して前記移動局装置へ送信し、
前記複数の物理上りリンク制御チャネルリソースの中から１つの物理上りリンク制御チャネルリソースを指示する情報を、物理下りリンク制御チャネルを使用して前記移動局装置へ送信し、
前記移動局装置は、
前記ＨＡＲＱにおける制御情報とスケジューリングリクエストとを、前記物理下りリンク制御チャネルによって指示された前記物理上りリンク制御チャネルリソースを使用して、前記基地局装置へ送信する
ことを特徴とする移動通信システム。
【請求項４】
前記スケジューリングリクエストは、前記ＨＡＲＱにおける制御情報のビットの系列の最後に付け足される
ことを特徴とする請求項１乃至３のいずれかに記載の移動通信システム。
【請求項５】
前記スケジューリングリクエストは、前記基地局装置へスケジューリングを要求する、または、前記基地局装置へスケジューリングを要求しないことを示す１ビットの情報である
ことを特徴とする請求項１乃至４のいずれかに記載の移動通信システム。
【請求項６】
前記無線資源制御信号によって設定される物理上りリンク制御チャネルリソースは、４つである
ことを特徴とする請求項１乃至５のいずれかに記載の移動通信システム。
【請求項７】
集約された複数のコンポーネントキャリアを使用して基地局装置と移動局装置が通信する移動通信システムにおける基地局装置であって、
複数の物理上りリンク制御チャネルリソースを設定するための情報を、無線資源制御信号を使用して前記移動局装置へ送信する手段と、
前記複数の物理上りリンク制御チャネルリソースの中から１つの物理上りリンク制御チャネルリソースを指示する情報を、物理下りリンク制御チャネルを使用して前記移動局装置へ送信する手段と、
ＨＡＲＱにおける制御情報とスケジューリングリクエストとを、前記物理下りリンク制御チャネルによって指示された前記物理上りリンク制御チャネルリソースを使用して、前記移動局装置から受信する手段と、
を備えることを特徴とする基地局装置。
【請求項８】
前記ＨＡＲＱにおける制御情報は、前記基地局装置によって、あるサブフレームで前記コンポーネントキャリアにおいて送信される下りリンクトランスポートブロックに対するＡＣＫ／ＮＡＣＫを示す情報を含む
ことを特徴とする請求項７に記載の基地局装置。
【請求項９】
移動局装置が、あるサブフレームで基地局装置によって送信される１つまたは複数の下りリンクトランスポートブロックに対するＨＡＲＱにおける制御情報を、前記基地局装置へ送信する移動通信システムにおける基地局装置であって、
複数の物理上りリンク制御チャネルリソースを設定するための情報を、無線資源制御信号を使用して前記移動局装置へ送信する手段と、
前記複数の物理上りリンク制御チャネルリソースの中から１つの物理上りリンク制御チャネルリソースを指示する情報を、物理下りリンク制御チャネルを使用して前記移動局装置へ送信する手段と、
前記ＨＡＲＱにおける制御情報とスケジューリングリクエストとを、前記物理下りリンク制御チャネルによって指示された前記物理上りリンク制御チャネルリソースを使用して、前記移動局装置から受信する手段と、
を備えることを特徴とする基地局装置。
【請求項１０】
前記スケジューリングリクエストは、前記ＨＡＲＱにおける制御情報のビットの系列の最後に付け足される
ことを特徴とする請求項７乃至９のいずれかに記載の基地局装置。
【請求項１１】
前記スケジューリングリクエストは、前記基地局装置へスケジューリングを要求する、または、前記基地局装置へスケジューリングを要求しないことを示す１ビットの情報である
ことを特徴とする請求項７乃至１０のいずれかに記載の基地局装置。
【請求項１２】
前記無線資源制御信号によって設定される物理上りリンク制御チャネルリソースは、４つである
ことを特徴とする請求項７乃至１１のいずれかに記載の基地局装置。
【請求項１３】
集約された複数のコンポーネントキャリアを使用して基地局装置と移動局装置が通信する移動通信システムにおける移動局装置であって、
複数の物理上りリンク制御チャネルリソースを設定するための情報を、無線資源制御信号を使用して前記基地局装置から受信する手段と、
前記複数の物理上りリンク制御チャネルリソースの中から１つの物理上りリンク制御チャネルリソースを指示する情報を、物理下りリンク制御チャネルを使用して前記基地局装置から受信する手段と、
ＨＡＲＱにおける制御情報とスケジューリングリクエストとを、前記物理下りリンク制御チャネルによって指示された前記物理上りリンク制御チャネルリソースを使用して、前記基地局装置へ送信する手段と、
を備えることを特徴とする移動局装置。
【請求項１４】
前記ＨＡＲＱにおける制御情報は、前記基地局装置によって、あるサブフレームで送信される下りリンクトランスポートブロックに対するＡＣＫ／ＮＡＣＫを示す情報を含む
ことを特徴とする請求項１３に記載の移動局装置。
【請求項１５】
移動局装置が、あるサブフレームで基地局装置によって送信される１つまたは複数の下りリンクトランスポートブロックに対するＨＡＲＱにおける制御情報を、前記基地局装置へ送信する移動通信システムにおける移動局装置であって、
複数の物理上りリンク制御チャネルリソースを設定するための情報を、無線資源制御信号を使用して前記基地局装置から受信する手段と、
前記複数の物理上りリンク制御チャネルリソースの中から１つの物理上りリンク制御チャネルリソースを指示する情報を、物理下りリンク制御チャネルを使用して前記基地局装置から受信する手段と、
前記ＨＡＲＱにおける制御情報とスケジューリングリクエストとを、前記物理下りリンク制御チャネルによって指示された前記物理上りリンク制御チャネルリソースを使用して、前記基地局装置へ送信する手段と、
を備えることを特徴とする移動局装置。
【請求項１６】
前記スケジューリングリクエストは、前記ＨＡＲＱにおける制御情報のビットの系列の最後に付け足される
ことを特徴とする請求項１３乃至１５のいずれかに記載の移動局装置。
【請求項１７】
前記スケジューリングリクエストは、前記基地局装置へスケジューリングを要求する、または、前記基地局装置へスケジューリングを要求しないことを示す１ビットの情報である
ことを特徴とする請求項１３乃至１６のいずれかに記載の移動局装置。
【請求項１８】
前記無線資源制御信号によって設定される物理上りリンク制御チャネルリソースは、４つである
ことを特徴とする請求項１３乃至１７のいずれかに記載の移動局装置。
【請求項１９】
集約された複数のコンポーネントキャリアを使用して基地局装置と移動局装置が通信する移動通信システムにおける基地局装置の通信方法であって、
複数の物理上りリンク制御チャネルリソースを設定するための情報を、無線資源制御信号を使用して前記移動局装置へ送信し、
前記複数の物理上りリンク制御チャネルリソースの中から１つの物理上りリンク制御チャネルリソースを指示する情報を、物理下りリンク制御チャネルを使用して前記移動局装置へ送信し、
ＨＡＲＱにおける制御情報とスケジューリングリクエストとを、前記物理下りリンク制御チャネルによって指示された前記物理上りリンク制御チャネルリソースを使用して、前記移動局装置から受信する
ことを特徴とする通信方法。
【請求項２０】
移動局装置が、あるサブフレームで基地局装置によって送信される１つまたは複数の下りリンクトランスポートブロックに対するＨＡＲＱにおける制御情報を、前記基地局装置へ送信する移動通信システムにおける基地局装置の通信方法であって、
複数の物理上りリンク制御チャネルリソースを設定するための情報を、無線資源制御信号を使用して前記移動局装置へ送信し、
前記複数の物理上りリンク制御チャネルリソースの中から１つの物理上りリンク制御チャネルリソースを指示する情報を、物理下りリンク制御チャネルを使用して前記移動局装置へ送信し、
前記ＨＡＲＱにおける制御情報とスケジューリングリクエストとを、前記物理下りリンク制御チャネルによって指示された前記物理上りリンク制御チャネルリソースを使用して、前記移動局装置から受信する
ことを特徴とする通信方法。
【請求項２１】
集約された複数のコンポーネントキャリアを使用して基地局装置と移動局装置が通信する移動通信システムにおける移動局装置の通信方法であって、
複数の物理上りリンク制御チャネルリソースを設定するための情報を、無線資源制御信号を使用して前記基地局装置から受信し、
前記複数の物理上りリンク制御チャネルリソースの中から１つの物理上りリンク制御チャネルリソースを指示する情報を、物理下りリンク制御チャネルを使用して前記基地局装置から受信し、
ＨＡＲＱにおける制御情報とスケジューリングリクエストとを、前記物理下りリンク制御チャネルによって指示された前記物理上りリンク制御チャネルリソースを使用して、前記基地局装置へ送信する
ことを特徴とする通信方法。
【請求項２２】
移動局装置が、あるサブフレームで基地局装置によって送信される１つまたは複数の下りリンクトランスポートブロックに対するＨＡＲＱにおける制御情報を、前記基地局装置へ送信する移動通信システムにおける移動局装置の通信方法であって、
複数の物理上りリンク制御チャネルリソースを設定するための情報を、無線資源制御信号を使用して前記基地局装置から受信し、
前記複数の物理上りリンク制御チャネルリソースの中から１つの物理上りリンク制御チャネルリソースを指示する情報を、物理下りリンク制御チャネルを使用して前記基地局装置から受信し、
前記ＨＡＲＱにおける制御情報とスケジューリングリクエストとを、前記物理下りリンク制御チャネルによって指示された前記物理上りリンク制御チャネルリソースを使用して、前記基地局装置へ送信する
ことを特徴とする通信方法。
【請求項２３】
集約された複数のコンポーネントキャリアを使用して基地局装置と移動局装置が通信する移動通信システムにおける基地局装置に搭載される集積回路であって、
複数の物理上りリンク制御チャネルリソースを設定するための情報を、無線資源制御信号を使用して前記移動局装置へ送信する処理と、
前記複数の物理上りリンク制御チャネルリソースの中から１つの物理上りリンク制御チャネルリソースを指示する情報を、物理下りリンク制御チャネルを使用して前記移動局装置へ送信する処理と、
ＨＡＲＱにおける制御情報とスケジューリングリクエストとを、前記物理下りリンク制御チャネルによって指示された前記物理上りリンク制御チャネルリソースを使用して、前記移動局装置から受信する処理と、
を実行することを特徴とする集積回路。
【請求項２４】
移動局装置が、あるサブフレームで基地局装置によって送信される１つまたは複数の下りリンクトランスポートブロックに対するＨＡＲＱにおける制御情報を、前記基地局装置へ送信する移動通信システムにおける基地局装置に搭載される集積回路であって、
複数の物理上りリンク制御チャネルリソースを設定するための情報を、無線資源制御信号を使用して前記移動局装置へ送信する処理と、
前記複数の物理上りリンク制御チャネルリソースの中から１つの物理上りリンク制御チャネルリソースを指示する情報を、物理下りリンク制御チャネルを使用して前記移動局装置へ送信する処理と、
前記ＨＡＲＱにおける制御情報とスケジューリングリクエストとを、前記物理下りリンク制御チャネルによって指示された前記物理上りリンク制御チャネルリソースを使用して、前記移動局装置から受信する処理と、
を実行することを特徴とする集積回路。
【請求項２５】
集約された複数のコンポーネントキャリアを使用して基地局装置と移動局装置が通信する移動通信システムにおける移動局装置に搭載される集積回路であって、
複数の物理上りリンク制御チャネルリソースを設定するための情報を、無線資源制御信号を使用して前記基地局装置から受信する処理と、
前記複数の物理上りリンク制御チャネルリソースの中から１つの物理上りリンク制御チャネルリソースを指示する情報を、物理下りリンク制御チャネルを使用して前記基地局装置から受信する処理と、
ＨＡＲＱにおける制御情報とスケジューリングリクエストとを、前記物理下りリンク制御チャネルによって指示された前記物理上りリンク制御チャネルリソースを使用して、前記基地局装置へ送信する処理と、
を実行することを特徴とする集積回路。
【請求項２６】
移動局装置が、あるサブフレームで基地局装置によって送信される１つまたは複数の下りリンクトランスポートブロックに対するＨＡＲＱにおける制御情報を、前記基地局装置へ送信する移動通信システムにおける移動局装置に搭載される集積回路であって、
複数の物理上りリンク制御チャネルリソースを設定するための情報を、無線資源制御信号を使用して前記基地局装置から受信する処理と、
前記複数の物理上りリンク制御チャネルリソースの中から１つの物理上りリンク制御チャネルリソースを指示する情報を、物理下りリンク制御チャネルを使用して前記基地局装置から受信する処理と、
前記ＨＡＲＱにおける制御情報とスケジューリングリクエストとを、前記物理下りリンク制御チャネルによって指示された前記物理上りリンク制御チャネルリソースを使用して、前記基地局装置へ送信する処理と、
を実行することを特徴とする集積回路。
【手続補正２】
【補正対象書類名】明細書
【補正対象項目名】００１７
【補正方法】変更
【補正の内容】
【００１７】
（１）上記の目的を達成するために、本発明は以下のような手段を講じた。すなわち、本発明の移動通信システムは、集約された複数のコンポーネントキャリアを使用して基地局装置と移動局装置が通信する移動通信システムであって、基地局装置は、複数の物理上りリンク制御チャネルリソースを設定するための情報を、無線資源制御信号を使用して移動局装置へ送信し、複数の物理上りリンク制御チャネルリソースの中から１つの物理上りリンク制御チャネルリソースを指示する情報を、物理下りリンク制御チャネルを使用して移動局装置へ送信し、移動局装置は、ＨＡＲＱにおける制御情報とスケジューリングリクエストとを、物理下りリンク制御チャネルによって指示された物理上りリンク制御チャネルリソースを使用して、基地局装置へ送信することを特徴としている。
【手続補正３】
【補正対象書類名】明細書
【補正対象項目名】００１９
【補正方法】変更
【補正の内容】
【００１９】
（３）また、移動局装置が、あるサブフレームで基地局装置によって送信される１つまたは複数の下りリンクトランスポートブロックに対するＨＡＲＱにおける制御情報を、基地局装置へ送信する移動通信システムであって、基地局装置は、複数の物理上りリンク制御チャネルリソースを設定するための情報を、無線資源制御信号を使用して移動局装置へ送信し、複数の物理上りリンク制御チャネルリソースの中から１つの物理上りリンク制御チャネルリソースを指示する情報を、物理下りリンク制御チャネルを使用して移動局装置へ送信し、移動局装置は、ＨＡＲＱにおける制御情報とスケジューリングリクエストとを、物理下りリンク制御チャネルによって指示された物理上りリンク制御チャネルリソースを使用して、基地局装置へ送信することを特徴としている。
【手続補正４】
【補正対象書類名】明細書
【補正対象項目名】００２３
【補正方法】変更
【補正の内容】
【００２３】
（７）また、集約された複数のコンポーネントキャリアを使用して基地局装置と移動局装置が通信する移動通信システムにおける基地局装置であって、複数の物理上りリンク制御チャネルリソースを設定するための情報を、無線資源制御信号を使用して移動局装置へ送信する手段と、複数の物理上りリンク制御チャネルリソースの中から１つの物理上りリンク制御チャネルリソースを指示する情報を、物理下りリンク制御チャネルを使用して移動局装置へ送信する手段と、ＨＡＲＱにおける制御情報とスケジューリングリクエストとを、物理下りリンク制御チャネルによって指示された物理上りリンク制御チャネルリソースを使用して、移動局装置から受信する手段と、を備えることを特徴としている。
【手続補正５】
【補正対象書類名】明細書
【補正対象項目名】００２５
【補正方法】変更
【補正の内容】
【００２５】
（９）また、移動局装置が、あるサブフレームで基地局装置によって送信される１つまたは複数の下りリンクトランスポートブロックに対するＨＡＲＱにおける制御情報を、基地局装置へ送信する移動通信システムにおける基地局装置であって、複数の物理上りリンク制御チャネルリソースを設定するための情報を、無線資源制御信号を使用して移動局装置へ送信する手段と、複数の物理上りリンク制御チャネルリソースの中から１つの物理上りリンク制御チャネルリソースを指示する情報を、物理下りリンク制御チャネルを使用して移動局装置へ送信する手段と、ＨＡＲＱにおける制御情報とスケジューリングリクエストとを、物理下りリンク制御チャネルによって指示された物理上りリンク制御チャネルリソースを使用して、移動局装置から受信する手段と、を備えることを特徴としている。
【手続補正６】
【補正対象書類名】明細書
【補正対象項目名】００２９
【補正方法】変更
【補正の内容】
【００２９】
（１３）また、集約された複数のコンポーネントキャリアを使用して基地局装置と移動局装置が通信する移動通信システムにおける移動局装置であって、複数の物理上りリンク制御チャネルリソースを設定するための情報を、無線資源制御信号を使用して基地局装置から受信する手段と、複数の物理上りリンク制御チャネルリソースの中から１つの物理上りリンク制御チャネルリソースを指示する情報を、物理下りリンク制御チャネルを使用して基地局装置から受信する手段と、ＨＡＲＱにおける制御情報とスケジューリングリクエストとを、物理下りリンク制御チャネルによって指示された物理上りリンク制御チャネルリソースを使用して、基地局装置へ送信する手段と、を備えることを特徴としている。
【手続補正７】
【補正対象書類名】明細書
【補正対象項目名】００３１
【補正方法】変更
【補正の内容】
【００３１】
（１５）また、移動局装置が、あるサブフレームで基地局装置によって送信される１つまたは複数の下りリンクトランスポートブロックに対するＨＡＲＱにおける制御情報を、基地局装置へ送信する移動通信システムにおける移動局装置であって、複数の物理上りリンク制御チャネルリソースを設定するための情報を、無線資源制御信号を使用して基地局装置から受信する手段と、複数の物理上りリンク制御チャネルリソースの中から１つの物理上りリンク制御チャネルリソースを指示する情報を、物理下りリンク制御チャネルを使用して基地局装置から受信する手段と、ＨＡＲＱにおける制御情報とスケジューリングリクエストとを、物理下りリンク制御チャネルによって指示された物理上りリンク制御チャネルリソースを使用して、基地局装置へ送信する手段と、を備えることを特徴としている。
【手続補正８】
【補正対象書類名】明細書
【補正対象項目名】００３５
【補正方法】変更
【補正の内容】
【００３５】
（１９）また、集約された複数のコンポーネントキャリアを使用して基地局装置と移動局装置が通信する移動通信システムにおける基地局装置の通信方法であって、複数の物理上りリンク制御チャネルリソースを設定するための情報を、無線資源制御信号を使用して移動局装置へ送信し、複数の物理上りリンク制御チャネルリソースの中から１つの物理上りリンク制御チャネルリソースを指示する情報を、物理下りリンク制御チャネルを使用して移動局装置へ送信し、ＨＡＲＱにおける制御情報とスケジューリングリクエストとを、物理下りリンク制御チャネルによって指示された物理上りリンク制御チャネルリソースを使用して、移動局装置から受信することを特徴としている。
【手続補正９】
【補正対象書類名】明細書
【補正対象項目名】００３６
【補正方法】変更
【補正の内容】
【００３６】
（２０）また、移動局装置が、あるサブフレームで基地局装置によって送信される１つまたは複数の下りリンクトランスポートブロックに対するＨＡＲＱにおける制御情報を、基地局装置へ送信する移動通信システムにおける基地局装置の通信方法であって、複数の物理上りリンク制御チャネルリソースを設定するための情報を、無線資源制御信号を使用して移動局装置へ送信し、複数の物理上りリンク制御チャネルリソースの中から１つの物理上りリンク制御チャネルリソースを指示する情報を、物理下りリンク制御チャネルを使用して移動局装置へ送信し、ＨＡＲＱにおける制御情報とスケジューリングリクエストとを、物理下りリンク制御チャネルによって指示された物理上りリンク制御チャネルリソースを使用して、移動局装置から受信することを特徴としている。
【手続補正１０】
【補正対象書類名】明細書
【補正対象項目名】００３７
【補正方法】変更
【補正の内容】
【００３７】
（２１）また、集約された複数のコンポーネントキャリアを使用して基地局装置と移動局装置が通信する移動通信システムにおける移動局装置の通信方法であって、複数の物理上りリンク制御チャネルリソースを設定するための情報を、無線資源制御信号を使用して基地局装置から受信し、複数の物理上りリンク制御チャネルリソースの中から１つの物理上りリンク制御チャネルリソースを指示する情報を、物理下りリンク制御チャネルを使用して基地局装置から受信し、ＨＡＲＱにおける制御情報とスケジューリングリクエストとを、物理下りリンク制御チャネルによって指示された物理上りリンク制御チャネルリソースを使用して、基地局装置へ送信することを特徴としている。
【手続補正１１】
【補正対象書類名】明細書
【補正対象項目名】００３８
【補正方法】変更
【補正の内容】
【００３８】
（２２）また、移動局装置が、あるサブフレームで基地局装置によって送信される１つまたは複数の下りリンクトランスポートブロックに対するＨＡＲＱにおける制御情報を、基地局装置へ送信する移動通信システムにおける移動局装置の通信方法であって、複数の物理上りリンク制御チャネルリソースを設定するための情報を、無線資源制御信号を使用して基地局装置から受信し、複数の物理上りリンク制御チャネルリソースの中から１つの物理上りリンク制御チャネルリソースを指示する情報を、物理下りリンク制御チャネルを使用して基地局装置から受信し、ＨＡＲＱにおける制御情報とスケジューリングリクエストとを、物理下りリンク制御チャネルによって指示された物理上りリンク制御チャネルリソースを使用して、基地局装置へ送信することを特徴としている。
【手続補正１２】
【補正対象書類名】明細書
【補正対象項目名】００３９
【補正方法】変更
【補正の内容】
【００３９】
（２３）また、集約された複数のコンポーネントキャリアを使用して基地局装置と移動局装置が通信する移動通信システムにおける基地局装置に搭載される集積回路であって、複数の物理上りリンク制御チャネルリソースを設定するための情報を、無線資源制御信号を使用して移動局装置へ送信する処理と、複数の物理上りリンク制御チャネルリソースの中から１つの物理上りリンク制御チャネルリソースを指示する情報を、物理下りリンク制御チャネルを使用して移動局装置へ送信する処理と、ＨＡＲＱにおける制御情報とスケジューリングリクエストとを、物理下りリンク制御チャネルによって指示された物理上りリンク制御チャネルリソースを使用して、移動局装置から受信する処理と、を実行することを特徴としている。
【手続補正１３】
【補正対象書類名】明細書
【補正対象項目名】００４０
【補正方法】変更
【補正の内容】
【００４０】
（２４）また、移動局装置が、あるサブフレームで基地局装置によって送信される１つまたは複数の下りリンクトランスポートブロックに対するＨＡＲＱにおける制御情報を、基地局装置へ送信する移動通信システムにおける基地局装置に搭載される集積回路であって、複数の物理上りリンク制御チャネルリソースを設定するための情報を、無線資源制御信号を使用して移動局装置へ送信する処理と、複数の物理上りリンク制御チャネルリソースの中から１つの物理上りリンク制御チャネルリソースを指示する情報を、物理下りリンク制御チャネルを使用して移動局装置へ送信する処理と、ＨＡＲＱにおける制御情報とスケジューリングリクエストとを、物理下りリンク制御チャネルによって指示された物理上りリンク制御チャネルリソースを使用して、移動局装置から受信する処理と、を実行することを特徴としている。
【手続補正１４】
【補正対象書類名】明細書
【補正対象項目名】００４１
【補正方法】変更
【補正の内容】
【００４１】
（２５）また、集約された複数のコンポーネントキャリアを使用して基地局装置と移動局装置が通信する移動通信システムにおける移動局装置に搭載される集積回路であって、複数の物理上りリンク制御チャネルリソースを設定するための情報を、無線資源制御信号を使用して基地局装置から受信する処理と、複数の物理上りリンク制御チャネルリソースの中から１つの物理上りリンク制御チャネルリソースを指示する情報を、物理下りリンク制御チャネルを使用して基地局装置から受信する処理と、ＨＡＲＱにおける制御情報とスケジューリングリクエストとを、物理下りリンク制御チャネルによって指示された物理上りリンク制御チャネルリソースを使用して、基地局装置へ送信する処理と、を実行することを特徴としている。
【手続補正１５】
【補正対象書類名】明細書
【補正対象項目名】００４２
【補正方法】変更
【補正の内容】
【００４２】
（２６）また、移動局装置が、あるサブフレームで基地局装置によって送信される１つまたは複数の下りリンクトランスポートブロックに対するＨＡＲＱにおける制御情報を、基地局装置へ送信する移動通信システムにおける移動局装置に搭載される集積回路であって、複数の物理上りリンク制御チャネルリソースを設定するための情報を、無線資源制御信号を使用して基地局装置から受信する処理と、複数の物理上りリンク制御チャネルリソースの中から１つの物理上りリンク制御チャネルリソースを指示する情報を、物理下りリンク制御チャネルを使用して基地局装置から受信する処理と、ＨＡＲＱにおける制御情報とスケジューリングリクエストとを、物理下りリンク制御チャネルによって指示された物理上りリンク制御チャネルリソースを使用して、基地局装置へ送信する処理と、を実行することを特徴としている。
【国際調査報告】
2011122265.tif 000012
2011122265.tif 000013
2011122265.tif 000014